(57)【特許請求の範囲】
【請求項１】
演出を表示する表示手段と、
前記表示手段に表示する演出のパターンを複数の演出パターンの中から選択する演出パターン選択手段と、
を備えた遊技機において、
前記複数の演出パターンの少なくとも１つには、演出中に一時的に割り込み画面を割り込ませる割り込み演出を有し、
任意の操作によって使用する画像を決定する画像決定手段と、
前記割り込み演出の割り込み画面として予め設定されている基本割り込み画面に代えて、前記画像決定手段で決定された画像を有する個別割り込み画面を使用する割り込み画面変更手段と、
遊技機操作者による操作可能な操作部と、
前記割り込み画面として前記基本割り込み画面に代えて前記個別割り込み画面を使用する割合を０％〜１００％の範囲で前記操作部の操作により設定する出現割合設定手段と、
前記操作部の操作により設定された出現割合を表示する出現割合設定表示部と、
を備え、
前記割り込み演出を有する演出パターンの場合、前記出現割合設定手段で設定した出現割合に基づいて前記基本割り込み画面か前記個別割り込み画面かを抽選することを特徴とする遊技機。
【請求項２】
前記画像決定手段は遊技機の電源投入時のみに実行可能に構成されていることを特徴とする請求項１に記載の遊技機。
【請求項３】
前記出現割合設定手段は遊技機の電源投入時のみに実行可能に構成されていることを特徴とする請求項１または２に記載の遊技機。
【請求項４】
前記画像決定手段が決定する画像は、遊技機が設置される遊技店の名称を表すものであることを特徴とする請求項１から３の何れか一項に記載の遊技機。
【発明の詳細な説明】
【技術分野】
【０００１】
本発明は、演出中に一時的に割り込み画面を割り込ませる割り込み演出を行う遊技機に関する。
【背景技術】
【０００２】
従来、パチンコ遊技機等においては、割り込み演出が実行可の場合、操作有効期間内に演出用操作ボタンが操作されると必ず割り込み演出を行う遊技機があった。
【先行技術文献】
【特許文献】
【０００３】
【特許文献１】特開２０１０−６９１１１号公報
【発明の概要】
【発明が解決しようとする課題】
【０００４】
しかしながら、従来の遊技機では、割り込み演出は予め設定された画像が表示されるだけであり、遊技機毎あるいは遊技店毎の差別化ができなかった。
【０００５】
本発明は、前記の点に鑑みなされたものであって、割り込み演出を行う場合は予め設定されている画像と遊技店側が設定した画像の何れかが割り込み画面として出現すると共に、予め設定されている画像と遊技店側が設定した画像の出現割合を設定可能な遊技機の提供を目的とする。
【課題を解決するための手段】
【０００６】
請求項１の発明は、演出を表示する表示手段と、前記表示手段に表示する演出のパターンを複数の演出パターンの中から選択する演出パターン選択手段と、を備えた遊技機において、前記複数の演出パターンの少なくとも１つには、演出中に一時的に割り込み画面を割り込ませる割り込み演出を有し、任意の操作によって使用する画像を決定する画像決定手段と、前記割り込み演出の割り込み画面として予め設定されている基本割り込み画面に代えて、前記画像決定手段で決定された画像を有する個別割り込み画面を使用する割り込み画面変更手段と、遊技機操作者による操作可能な操作部と、前記割り込み画面として前記基本割り込み画面に代えて前記個別割り込み画面を使用する割合を０％〜１００％の範囲で前記操作部の操作により設定する出現割合設定手段と、前記操作部の操作により設定された出現割合を表示する出現割合設定表示部と、を備え、前記割り込み演出を有する演出パターンの場合、前記出現割合設定手段で設定した出現割合に基づいて前記基本割り込み画面か前記個別割り込み画面かを抽選することを特徴とする。
【０００７】
請求項２の発明は、請求項１において、前記画像決定手段は遊技機の電源投入時のみに実行可能に構成されていることを特徴とする。
【０００８】
請求項３の発明は、請求項１または２において、前記出現割合設定手段は遊技機の電源投入時のみに実行可能に構成されていることを特徴とする。
【０００９】
請求項４の発明は、請求項１から３の何れか一項において、前記画像決定手段が決定する画像は、遊技機が設置される遊技店の名称を表すものであることを特徴とする。
【発明の効果】
【００１０】
請求項１の発明によれば、予め割り込み画面として設定されている基本割り込み画面と任意に設定した個別割り込み画面の何れかが割り込み画面として出現すると共に、予め設定されている基本割り込み画面と遊技機操作者が設定した個別割り込み画面の出現割合を設定可能であり、遊技機毎あるいは遊技店毎の差別化が可能である。
【００１１】
請求項２の発明によれば、画像決定手段は遊技機の電源投入時のみに実行可能に構成されているため、遊技店側のみが個別割り込み画面の画像を決定することができ、個別割り込み画面の画像を遊技機毎あるいは遊技店毎に設定することが可能である。
【００１２】
請求項３の発明によれば、出現割合設定手段は遊技機の電源投入時のみに実行可能に構成されているため、遊技店側のみが基本割り込み画面と個別割り込み画面の出現割合を設定することができ、基本割り込み画面と個別割り込み画面の出現割合を遊技機毎あるいは遊技店毎に設定することが可能である。
【００１３】
請求項４の発明によれば、画像決定手段が決定する画像は、遊技機が設置される遊技店の名称を表すものであるため、個別割り込み画面によって遊技店の名称を表す表示、例えばホール名ロゴやホール名が表示されることになり、遊技機毎あるいは遊技店毎の差別化が可能である。
【図面の簡単な説明】
【００１４】
【図１】本発明の一実施例に係る遊技機の正面図である。
【図２】同遊技機の裏側を示す図である。
【図３】同遊技機の制御基板や装置等の接続を示すブロック図である。
【図４】同遊技機におけるホールコード設定の画面を示す図である。
【図５】同遊技機における割り込み画面の演出例を示す図である。
【図６】同遊技機における主制御基板が行うメイン処理のフローチャートである。
【図７】同メイン処理用割り込み処理のフローチャートである。
【図８】始動入賞口スイッチ検出処理のフローチャートである。
【図９】普通動作処理のフローチャートである。
【図１０】特別動作処理のフローチャートである。
【図１１】特別図柄待機処理のフローチャートである。
【図１２】特別図柄大当たり判定処理のフローチャートである。
【図１３】特別図柄選択処理のフローチャートである。
【図１４】特別図柄変動パターン選択処理の第１フローチャートである。
【図１５】特別図柄変動パターン選択処理の第２フローチャートである。
【図１６】特別図柄乱数シフト処理のフローチャートである。
【図１７】変動中処理のフローチャートである。
【図１８】特別図柄確定処理のフローチャートである。
【図１９】特別電動役物処理の第１フローチャートである。
【図２０】特別電動役物処理の第２フローチャートである。
【図２１】保留球数処理のフローチャートである。
【図２２】電源断監視処理のフローチャートである。
【図２３】サブ制御メイン処理のフローチャートである。
【図２４】システム初期化処理のフローチャートである。
【図２５】外部ＩＮＴ割り込み処理のフローチャートである。
【図２６】１ｍｓタイマ割り込み処理のフローチャートである。
【図２７】１０ｍｓタイマ割り込み処理のフローチャートである。
【図２８】メインコマンド解析処理のフローチャートである。
【図２９】個別設定処理のフローチャートである。
【図３０】ホールコード入力画面ＳＷ処理のフローチャートである。
【図３１】ホールコード入力処理の第１フローチャートである。
【図３２】ホールコード入力処理の第２フローチャートである。
【図３３】ホールコード読み込み１処理のフローチャートである。
【図３４】ホールコード読み込み２処理のフローチャートである。
【図３５】ホールコード演出設定処理のフローチャートである。
【図３６】ロゴカットイン設定処理のフローチャートである。
【図３７】ホールコード演出確認画面１設定処理のフローチャートである。
【図３８】ホールコード演出確認画面２設定処理のフローチャートである。
【図３９】割り込み用画面抽選処理のフローチャートである。
【図４０】ＲＴＣ時刻処理のフローチャートである。
【図４１】バックアップ処理のフローチャートである。
【発明を実施するための形態】
【００１５】
以下、添付の図面に基づき本発明の実施例を説明する。図１に示す遊技機１は、遊技媒体として遊技球を用いるパチンコ遊技機であって、遊技盤２の縁に外側誘導レール３及び内側誘導レール４が略円形に配置され、前記外側誘導レール３及び内側誘導レール４によって区画された遊技領域６が前記遊技盤２上に設けられている。前記遊技領域６には遊技球を誘導する誘導釘Ｒが遊技盤２の表面に設けられている。また、遊技機１の前面側には、装飾ランプ等からなるランプ装置３５、発射装置へ供給する遊技球と払い出された遊技球を受けるための上側球受け皿３６、該上側球受け皿３６の満杯時に遊技球を受けるための下側球受け皿３７、効果音等を発するスピーカ３８、遊技者の発射操作に応じて遊技球を前記遊技領域６へ向けて弾発発射するための発射装置６４、遊技機操作者による操作可能な遊技操作ボタン６７が設けられている。図１における符号Ｗ１は遊技機の外枠、Ｗ２は外枠Ｗ１に取り付けられた前枠、Ｇは前記前枠Ｗ２に開閉可能にヒンジで取り付けられたガラス枠である。以下、遊技機１の主要な部分について説明する。
【００１６】
前記遊技領域６には、中心線上の上部から下部に向かって順に表示装置１０、上側始動入賞口４１、下側始動入賞口４２、大入賞口４５、アウト口４８が配置されている。前記上側始動入賞口４１及び下側始動入賞口４２の左には左袖第１入賞口５１と左袖第２入賞口５２が配置され、また、大入賞口４５の左右には左落とし入賞口５３と右落とし入賞口５４が配置されている。また、前記表示装置１０の左には普通図柄変動開始用ゲート５５、その下方には風車７６が設けられている。一方、前記表示装置１０の右下方には普通図柄表示装置５０が組み込まれている。
【００１７】
前記上側始動入賞口４１、下側始動入賞口４２、大入賞口４５、左袖第１入賞口５１、左袖第２入賞口５２、左落とし入賞口５３、右落とし入賞口５４は、前記遊技領域６に発射された遊技球が入賞可能な複数の入賞口に相当する。また、前記上側始動入賞口４１及び下側始動入賞口４２は、始動入賞口に相当する。前記遊技領域６へ発射されて遊技領域６内を流下する遊技球が前記の各入賞口に入賞（入球）すると１入賞球の入賞に対して所定個数の賞品球（遊技球）が遊技者に払い出される。前記１入賞球の入賞に対する賞品球の払出個数は、前記入賞口毎に設定されている。
【００１８】
前記表示装置１０は、当否判定手段による判定結果を図柄によって表示する表示手段、及び当否判定手段による判定結果を示唆する予告を表示する表示手段に相当する。前記表示装置１０は、図柄等の画像が表示可能なものであって、液晶，ドットマトリックス若しくはＬＥＤ表示装置等の画像表示装置からなり、本実施例では、液晶表示器（ＴＦＴ−ＬＣＤモジュール）で構成されている。前記表示装置１０は、複数の特別図柄を変動パターンに従って所定時間変動表示した後に停止表示可能に構成され、停止表示された特別図柄によって判定結果を表示する。特別図柄は当否判定結果を表示するための判定図柄であり、当否判定結果を識別可能な識別情報である。
【００１９】
前記表示装置１０では、左右に並ぶ左特別図柄（左判定図柄）と中特別図柄（中判定図柄）と右特別図柄（右判定図柄）がそれぞれ変動パターンに従って変動表示し、変動パターンに設定されている変動時間変動表示した後、当否判定結果に基づき左特別図柄、中特別図柄、右特別図柄が確定停止特別図柄（確定停止判定図柄）として停止表示される。特別図柄の変動は本発明の演出に相当し、変動パターンは本発明の演出パターンに相当する。また、前記表示装置１０では前記特別図柄の変動表示と共に、背景、キャラクター、文字等（音声や発光等も適宜含まれる）で構成される演出が表示可能となっている。前記変動パターンは、後述するように複数設けられ、複数の変動パターンから選択された変動パターンに基づいて特別図柄の変動表示が前記表示装置１０で行われる。
【００２０】
本実施例において変動および停止表示される左特別図柄、中特別図柄、右特別図柄は、それぞれ『０，１，２，３，４，５，６，７，８，９，１０，１１』の１２通りの図柄とされている。本実施例では、遊技の当否判定結果が大当たりの場合には、前記表示装置１０に大当たりの特別図柄組合せ、この例では『０，０，０』（いわゆる‘０’のぞろ目）や『１，１，１』（いわゆる‘１’のぞろ目）等、同一数字の組合せで特別図柄が停止表示される。大当たりの場合には、外れの場合よりも遊技者にとって有利な（遊技球を獲得し易い）特別遊技（大当たり遊技）が実行される。なお、遊技の当否判定結果が外れの場合には、特別図柄がぞろ目以外の組合せで表示装置１０に停止表示される。
【００２１】
前記普通図柄表示装置５０は、液晶、ドットマトリックス若しくはＬＥＤ表示装置等の表示装置からなる。本実施例の普通図柄表示装置５０は、ＬＥＤ表示装置からなる。本実施例における普通図柄表示装置５０に変動及び停止表示される普通図柄は『○』，『×』の２種類からなる。普通図柄当たりの場合には、前記普通図柄表示装置５０に『○』の普通図柄が停止表示され、外れの場合には『×』が表示される。
【００２２】
前記上側始動入賞口４１は、上方が開口した形状からなって遊技球が上方から入球（入賞）可能となっている。
一方、前記下側始動入賞口４２は、２つの可動片４２ａ，４２ｂが背面の始動入賞口用ソレノイドによって略垂直で遊技球の入賞（入球）困難な閉鎖状態（通常状態）と略Ｖ字形（逆ハの字形）の入賞可能な開状態間を変化可能に制御されている。前記下側始動入賞口４２の開状態への移行は、前記普通図柄表示装置５０で普通図柄が変動した後、普通図柄当たりを示す当たり普通図柄（本実施例では『○』）で確定停止表示された時に行われる。
【００２３】
また、前記遊技盤２の背面には、前記上側始動入賞口４１に入賞（入球）した遊技球を検出する上側始動入賞口検出スイッチ（上側始動入賞口センサ）と、前記下側始動入賞口４２へ入賞（入球）した遊技球を検出する下側始動入賞口検出スイッチ（下側始動入賞口センサ）がそれぞれの入賞球用通路に設けられている。本実施例において前記上側始動入賞口４１あるいは下側始動入賞口４２への遊技球の入賞（入球）検出は、乱数値の取得の起因および前記特別図柄の変動表示開始の起因とされ、さらには、判定条件の成立に設定されており、また、前記判定条件の成立に起因して当否判定手段により大当たりか否かが判定される。
【００２４】
前記上側始動入賞口４１あるいは下側始動入賞口４２に入賞して前記上側始動入賞口検出スイッチ（上側始動入賞口センサ）、前記下側始動入賞口検出スイッチで検出された遊技球検出数（始動入賞口入賞球数）及び取得した乱数値を予め設定されている設定数まで特別図柄保留球数として入賞順に記憶し、特別図柄の変動表示を一旦保留して順次特別図柄の変動表示が開始されることにより、記憶されている特別図柄保留球数の数を減らし、取得乱数値のデータを消去している。前記上側始動入賞口４１及び下側始動入賞口４２への入賞に対する記憶は、前記表示装置１０で現在変動中の記憶を含まず、最大４個に設定されている。
【００２５】
なお、前記始動入賞口検出スイッチ（上側始動入賞口検出スイッチ、下側始動入賞口検出スイッチ）による遊技球検出数が最大個数まで記憶されている時には、前記始動入賞口検出スイッチがそれ以上入賞遊技球を検出しても、保留球数としては記憶されない無効球（オーバーフロー入賞球）とされ、その無効球については乱数値の記憶、当否判定及び特別図柄の変動を行うことなく、入賞に対する賞球遊技球が所定数払い出される。
【００２６】
前記普通図柄変動開始用ゲート５５は、前記遊技盤２の背面に設けられた普通図柄変動開始スイッチで普通図柄変動開始用ゲート５５を通過する遊技球が検出されることに基づいて前記普通図柄表示装置５０で普通図柄の変動を開始させるようになっている。また、前記普通図柄の変動表示中に、前記普通図柄変動開始用ゲート５５を遊技球が通過することによって発生する普通図柄の変動を、前記普通図柄変動装置５０における現在変動中の記憶を含めず最大４個普通図柄保留球数として記憶し、普通図柄の変動開始により普通図柄保留球数を減らすようになっている。
【００２７】
また、前記遊技盤２の背面には、前記左袖第１入賞口５１の入賞球を検出する左袖第１入賞口用検出スイッチ、前記左袖第２入賞口５２の入賞球を検出する左袖第２入賞口用検出スイッチ、前記左落とし入賞口５３及び右落とし入賞口５４の入賞球を検出する左落とし入賞口用検出スイッチ及び右落とし入賞口用検出スイッチが設けられている。
【００２８】
前記大入賞口４５は、遊技媒体（遊技球）が入賞可能な入賞領域に相当する。前記大入賞口４５は、前記遊技盤２の背面に設けられた大入賞口開放用ソレノイドによって開閉する開閉板４６を備えている。前記開閉板４６は、特別遊技期間中に入賞領域に遊技媒体（遊技球）が入賞可能な開放状態と入賞不可能な閉鎖状態とに変位する変位部材に相当する。この大入賞口４５は、通常は開閉板４６が閉じた状態（閉鎖状態）とされ、当否判定結果が大当たりの場合に実行される特別遊技（大当たり遊技）時に開閉が実行される。また、前記大入賞口４５内には、大入賞口４５に入賞した入賞球を検出する入賞球数カウントスイッチ（カウントセンサ）が設けられている。
【００２９】
前記上側始動入賞口検出スイッチ、下側始動入賞口検出スイッチ、左袖第１入賞口用検出スイッチ、左袖第２入賞口用検出スイッチ、左落とし入賞口用検出スイッチ、右落とし入賞口用検出スイッチ、入賞球数カウントスイッチ（カウントセンサ）は、入賞装置に入賞した遊技球を検出する入賞検出手段に相当する。
【００３０】
前記発射装置６４は、操作レバー６５の操作により駆動する発射モータを裏側に有し、該発射モータの駆動により遊技球を弾発発射するようになっている。前記発射装置６４により発射された発射球は、前記遊技盤２の表面に立設された内側誘導レール４と外側誘導レール３間で構成される発射球誘導路を介して遊技領域６に誘導される。前記遊技領域６に誘導された遊技球は、転動しつつ下方へ落下し、前記各装置及び各入賞口に入賞するか、或いは何処にも入賞しなければ前記アウト口４８から遊技盤２の裏側へ排出される。
【００３１】
前記遊技操作ボタン６７は、遊技操作スイッチ（ＳＷ）であり、各種の設定時等に前記表示装置１０に表示される選択画面上におけるカーソル等の位置を移動させたり、決定したりする際に使用する操作部である。前記遊技操作ボタン６７は前後左右に押したり、押下（ＰＵＳＨ）したりすることができる。前記遊技操作ボタン６７の前後左右は、前記表示装置１０の選択画面上における上下左右移動に対応し、また押下（ＰＵＳＨ）は決定に対応する。
【００３２】
前記遊技機１の裏側には、図２に示すように、複数の制御基板や装置等が設けられている。制御基板の主なものとして、主制御基板２００、サブ制御基板２０５、表示制御基板２１０、音声制御基板２２０、払出制御基板２４０、電源基板２５０、発射制御基板２６０等がある。符号２６５は外部端子、２８１は払出装置、２８３は球無し検出センサ、２８９は球貯留タンク、２９１は球誘導樋である。２７１はＲＡＭクリアスイッチ、２７２は電源スイッチである。なお各制御基板には制御回路が設けられている。また、各制御基板は、単独でまたは複数まとめてケースに収納された状態で遊技機１の裏側に配置されている。主な制御基板を、図３のブロック図を用いて簡略に示す。
【００３３】
主制御基板２００は、遊技情報に従って遊技の進行を制御する制御装置に相当する。前記主制御基板２００には、ＣＰＵ、ＲＡＭ、ＲＯＭおよび複数のカウンタを備えたマイクロコンピュータを少なくとも備え、サブ制御基板２０５及び払出制御基板２４０と接続され、また中継回路を介して上側始動入賞口４１、下側始動入賞口４２及び大入賞口４５等と接続されている。前記主制御基板２００は電源基板２５０から電源供給を受けて作動する。
【００３４】
前記主制御基板２００におけるＣＰＵは、制御部、演算部、各種カウンタ、各種レジスタ，各種フラグ等を備え、演算制御を行う他、乱数値も生成し、また指令信号（制御信号あるいはコマンドとも称される）を接続されているサブ制御基板２０５や装置等へ出力（送信）可能に構成されている。また、前記主制御基板２００のＣＰＵは制御プログラムを実行して遊技情報に従って遊技に関わる主制御を行う。遊技情報は、当否判定に関する確率情報や、前記入賞装置への入賞情報や、払出情報、ラウンド状態、演出に関する情報等、遊技の進行に必要な情報である。
【００３５】
前記主制御基板２００から出力される指令信号（コマンド）には、入賞コマンド、始動入賞口入賞コマンド、大当たりオープニングコマンド、変動コマンド、変動停止コマンド、大当たりコマンド、大当たりラウンドコマンド、大当たりエンディングコマンド等がある。前記変動コマンドには、前記表示装置１０で特別図柄を変動表示させて演出を行う変動パターンのコマンドや図柄に関するコマンドが含まれる。前記主制御基板２００から出力される指令信号には、その他、普通図柄当たりに関するデータ、電源投入時、異常時、大当たりラウンド時等のデータを挙げることができる。なお、主制御基板２００が前記表示装置１０の制御に関して出力する指令信号に基づいて、サブ制御基板２０５が前記表示装置１０に表示する内容を設定する。
【００３６】
前記ＲＡＭは、サブ制御基板２０５のＲＡＭと共に保留記憶手段にも相当し、前記上側始動入賞口検出スイッチ及び下側始動入賞口検出スイッチで検出された遊技球の特別図柄保留球数、取得された乱数値の記憶領域、普通図柄変動開始スイッチで検出された遊技球の普通図柄保留球数の記憶領域、ＣＰＵで生成される各種乱数値用の記憶領域、遊技に必要な遊技データ等の各種データを一時的に記憶する記憶領域や、遊技情報を記憶する記憶領域やフラグ、ＣＰＵの作業領域を備える。
【００３７】
前記ＲＯＭは、前記ＣＰＵのための制御プログラムや制御データ、前記表示装置での変動表示に関する変動パターンや図柄データ、演出時間等のデータが書き込まれている他、大当たり、普通図柄当たりの判定値等が書き込まれている。
【００３８】
サブ制御基板２０５は、前記主制御基板２００と接続されて主制御基板２００から指令信号を受信可能に構成されると共に、前記表示制御基板２１０と接続されて表示装置１０を制御可能に構成されている。前記サブ制御基板２０５にはＣＰＵ、ＲＯＭ、ＲＡＭ、ＦＲＡＭ（登録商標、強誘電体メモリ）、ＲＴＣ、前記主制御基板２００とを結ぶ入出力回路と、前記表示制御基板２１０、ランプ中継基板、前記音声制御基板２２０、及び前記遊技操作ボタン６７とを結ぶ入出力回路を備えている。前記サブ制御基板２０５は、前記主制御基板２００と共に遊技の制御を行う遊技制御手段に相当し、前記主制御基板２００から出力された指令信号に従って遊技の制御を行う。本実施例ではサブ制御基板２０５はランプ制御基板を兼ねており、前記主制御基板２００から出力された指令信号を受信し、受信した指令信号に基づいて、ランプ中継基板や表示制御基板２１０へ指令信号を出力している。前記主制御基板２００からの指令信号には、前記表示装置１０をサブ制御基板２０５が制御するための指令信号及び前記ランプ装置３５に対するデータや信号、入賞コマンド、始動入賞口入賞コマンド、変動コマンド、大当たりコマンド等が含まれ、それらの信号の内容に合わせて遊技の制御を行っている。
【００３９】
前記サブ制御基板２０５のＲＯＭは制御用のプログラムやデータ定数、前記表示装置１０で実行される変動パターンによる演出等や背景演出情報が記憶され、また前記ＲＡＭは、主制御基板２００のＲＡＭと共に保留記憶手段にも相当し、各種データの記憶領域とＣＰＵによる作業領域を有している。前記ＦＲＡＭ（強誘電体メモリ）は、設定を記憶して遊技機の電源断中も設定を記憶する設定記憶手段に相当し、電源断状態でも書き込まれたデータが消えない機能を有する。前記ＲＴＣ（リアルタイムクロック）は、電源断中も時刻を計る時刻計測手段に相当し、電源断の間も内蔵電池によって作動し時間を計時する機能を有する。前記ランプ中継基板には装飾ランプ等のランプ装置３５が接続され、前記サブ制御基板２０５からランプ中継基板に送信された指令信号によって、ランプ装置３５の作動を制御する。前記サブ制御基板２０５は電源基板２５０から電源供給を受けて作動する。
【００４０】
表示制御基板２１０は、ＣＰＵ、ＲＯＭ、ＲＡＭを備えたマイクロコンピュータと、前記サブ制御基板２０５を結ぶ入力回路と前記表示装置１０を結ぶ出力回路等で構成され、前記サブ制御基板２０５から送信された制御信号に基づいて、前記表示装置１０における表示の制御を行う。前記表示制御基板２１０のＲＯＭには制御用のプログラムが記憶されている。前記表示制御基板２１０は、前記サブ制御基板２０５からの指令信号に基づき、表示制御御基板２１０のＣＰＵがＲＯＭから所定の表示制御データを読み出し、ＲＡＭの記憶領域で制御用データを生成してＶＤＰ（図示せず）に出力する。ＶＤＰは、ＣＰＵからの指令に基づいてＲＯＭから必要なデータを読み出し、表示画像のマップデータを作成し、ＶＲＡＭに格納する。ＶＲＡＭに格納記憶された画像データは、出力回路に備えるＤ／Ａ変換回路にてＲＧＢ信号に変換されて表示装置１０に出力される。
【００４１】
音声制御基板２２０は、前記サブ制御基板２０５から出力される信号により音声信号を合成し、アンプに出力する。アンプは音声信号を増幅してスピーカ３８に出力する。
【００４２】
払出制御基板２４０は、遊技球の払出を制御する払出制御手段に相当し、ＣＰＵ、ＲＯＭ、ＲＡＭを備えたマイクロコンピュータを有する。前記払出制御基板２４０は前記主制御基板２００と電気的接続手段で接続され、前記主制御基板２００から出力される指令信号を受信して払出装置２８１を制御する。前記払出制御基板２４０は電源基板２５０から供給される電源によって作動する。前記払出制御基板２４０のＲＯＭには制御用のプログラムが記憶されている。前記払出制御基板２４０のＲＡＭは、種々の入賞口（入賞装置）への入賞検出に基づき前記払出装置２８１により払い出される賞品球（遊技球）の払出個数を、１入賞球の検出に対する払出個数毎に記憶可能となっている。
【００４３】
前記払出装置２８１は、入賞領域に遊技媒体が入賞することを起因にして遊技者に所定個数の遊技媒体を付与する遊技媒体付与手段に相当する。前記払出装置２８１は、払出モータの駆動によって回転する払出スクリューを備え、前記球誘導樋２９１から誘導されてきて払出装置２８１に至った遊技球を払出スクリューの羽根部分に乗せて払出スクリューが回転することにより徐々に下方へ移動させて遊技球の払い出し行うように構成されている。前記球誘導樋２９１と払出装置２８１の間における遊技球の流路に遊技球の存否を検出する前記球無しセンサ２８３が設けられている。前記払出装置２８１の球出口には、前記払出装置２８１から払い出された遊技球を検出する払出センサが設けられている。
【００４４】
電源基板２５０は、遊技機１の外部より供給される主電源から遊技機１に適する所定電圧の遊技機用電源を生成して主制御基板（遊技制御装置）２００やサブ制御基板２０５、払出制御基板２４０等に供給するものであり、電源装置に相当する。前記主電源は、遊技店側で所要の電圧、本実施例では直流（ＡＣ）２４Ｖに変換されて供給される。
発射制御基板２６０は、前記発射装置６４における発射モータの制御を行う。
【００４５】
前記主制御基板２００に設けられる乱数用カウンタとして、大当たり乱数用カウンタ、大当たり図柄乱数用カウンタ、リーチ乱数用カウンタ、特別図柄データ乱数用カウンタ、変動パターン乱数用カウンタ、普通図柄乱数用カウンタ等がある。
【００４６】
大当たり乱数用カウンタは、当否判定手段による大当たりの判定（当否判定）に用いられ、‘０’〜‘６２９’の乱数からなる。前記大当たり乱数用カウンタの乱数（大当たり乱数）は、遊技機の電源投入時に ‘０’から始まって後述の普通図柄・特別図柄主要乱数更新処理ごとに１加算され、‘６２９’に至ると次には‘０’にされて再び前記加算を繰り返すようになっている。大当たり乱数値は前記上側始動入賞口４１あるいは下側始動入賞口４２への入賞に起因して取得され、その取得値が低確率（２／６３０（１／３１５））状態時には大当たり成立数値として設定されている‘３’，‘３９７’の何れかと一致すれば大当たりとなり、一方高確率（１２／６３０（６／３１５））状態時（確変状態時）には、大当たり成立数値として設定されている‘３’，‘３３’‘５３’，‘５９’，‘１１３’，‘１７３’，‘２２７’，‘２８１’，‘３３７’，‘３９７’，‘４４９’，‘５０３’の何れかと一致すれば大当たりとなる。
【００４７】
大当たり図柄乱数用カウンタは、大当たりの当否判定結果が大当たりの場合に前記表示装置１０に確定停止する大当たり図柄組合せを決定するものであり、‘０’〜‘１１’の乱数からなる。この大当たり図柄乱数は、電源投入時に‘０’から始まって後述の普通図柄・特別図柄主要乱数更新処理ごとに１加算され、‘１１’に至ると次には‘０’に戻って再び前記加算を繰り返すようになっている。大当たり図柄乱数は前記上側始動入賞口４１又は下側始動入賞口４２への入賞に起因して取得される。前記大当たり図柄乱数には、当否判定結果が大当たりの場合に、前記表示装置１０で停止表示される大当たり図柄組合せが割り当てられている。本実施例では、大当たり図柄乱数が‘０’の場合には大当たり図柄組合せが『０，０，０』となる０のぞろ目（全図柄同一）、‘１’の場合には大当たり図柄組合せが『１，１，１』となる１のぞろ目（全図柄同一）、‘２’の場合には『２，２，２』となる２のぞろ目、‘３’の場合には『３，３，３』となる３のぞろ目、‘４’の場合には『４，４，４』となる４のぞろ目、以下同様にして大当たり図柄乱数が‘１１’の場合の大当たり図柄組合せ『１１，１１，１１』まで、大当たり図柄乱数に大当たり図柄組合せが割り当てられている。
【００４８】
また、本実施例では、前記大当たり図柄乱数は、大当たりの場合に確変の決定にも用いられる。
確変（確変大当たり）の場合には、特別遊技（大当たり遊技）の終了後、次に大当たりの当否判定によって大当たりと判定されるまで、大当たりの確率が前記高確率状態（確変状態）とされる。なお確変ではない通常大当たり場合には、特別遊技（大当たり遊技）の終了後、次に大当たりの当否判定によって大当たりと判定されるまで、大当たりの確率が前記低確率状態（通常状態）とされる。本実施例では、当否判定結果が大当たりであって前記大当たり図柄乱数が‘１’、‘３’、‘５’、‘７’、‘９’、‘１１’の何れかの奇数の場合に、すなわち前記表示装置１０に停止表示される大当たり図柄の組合せが『１，１，１』、『３，３，３』、『５，５，５』、『７，７，７』、『９，９，９』、『１１，１１，１１』の何れかの奇数の組合せ（奇数のぞろ目）の場合に高確率状態（確変状態）となる。
一方、当否判定結果が大当たりであって前記大当たり図柄乱数が‘０’、‘２’、‘４’、‘６’、‘８’、‘１０’の何れかの偶数の場合に、すなわち前記表示装置１０に停止表示される大当たり図柄の組合せが『０，０，０』、『２，２，２』、『４，４，４』、『６，６，６』、『８，８，８』、『１０，１０，１０』の何れかの偶数の組合せ（偶数のぞろ目）の場合に低確率状態（通常状態）となる。
【００４９】
また、確変（高確率）状態になると、前記当否判定における大当たりの確率が前記高確率（確変）状態になると共に前記下側始動入賞口４２の開放（拡開）時間が、低確率（通常）状態の１秒から２秒に長くなり、かつ前記下側始動入賞口４２の開放（拡開）回数が低確率（通常）状態の１回から３回に増え、さらに、普通図柄当たりの確率が低確率（通常）状態の１／３００から１／５に増加する。
前記低確率状態（通常状態）は通常遊技に相当し、一方、前記高確率状態（確変状態）は、通常遊技よりも遊技者に有利な特典を付与した特典遊技に相当する。なお、前記特典は、前記下側始動入賞口４２の開放（拡開）時間の短縮及び開放回数の増大、普通図柄当たりの確率増大、あるいは大当たりの確率増大の何れか一のみでもよい。
【００５０】
リーチ乱数用カウンタは、前記大当たり乱数値による大当たりの当否判定結果が外れとなる場合において、リーチ状態を経るか否かを決めるリーチ有無決定用のものであり、‘０’〜‘１２６’の乱数からなる。本実施例におけるリーチ状態は、前記表示装置１０で変動停止表示される左特別図柄、中特別図柄及び右特別図柄のうち、最後に停止表示される特別図柄（例えば中特別図柄）を除いて他の特別図柄（例えば左特別図柄と右特別図柄）が同一となる状態（最終停止図柄を除いて大当たりの特別図柄組合せと等しくなる状態であり、最終的に大当たりの特別図柄組合せとなる場合と外れの特別図柄組合せとなる場合が含まれる状態）をいう。このリーチ乱数用カウンタの乱数（リーチ乱数）は、遊技機１の電源投入時に、‘０’から始まり、後述の普通図柄・特別図柄主要乱数更新処理ごとに１ずつ加算され、数値が‘１２６’に至ると、次に‘０’にされて再び前記加算を繰り返すようになっている。リーチ乱数は、前記上側始動入賞口４１あるいは下側始動入賞口４２への入賞に起因して取得され、当否判定結果が外れの場合に、その数値が予め決定されているリーチ成立数値と対比されてリーチ有無が判断される。本実施例ではリーチ成立数値は、‘５’，‘１７’，‘２８’，‘４０’，‘５１’，‘６３’，‘７４’，‘８６’，‘９７’，‘１０９’，‘１２０’に設定されている。
【００５１】
特別図柄データ乱数用カウンタは、前記大当たり乱数値による大当たり判定結果が外れとなる場合において、前記表示装置１０に停止表示する外れの特別図柄組合せの決定に用いられるものであり、前記表示装置１０に停止表示する左特別図柄を決定する特別図柄データ１の乱数用カウンタと、中特別図柄を決定する特別図柄データ２の乱数用カウンタと、右特別図柄を決定する特別図柄データ３の乱数用カウンタとより構成され、各特別図柄データ乱数用カウンタは、‘０’〜‘１１’の乱数からなる。
【００５２】
前記特別図柄データ１の乱数は、電源投入時に、‘０’から始まって後述の普通図柄・特別図柄主要乱数更新処理ごとに ‘１’ずつ加算され、‘１１’に至ると、次に‘０’に書き換えられて再び前記加算が繰り返される。また、前記特別図柄データ２の乱数は、電源投入時に‘０’から始まって、前記特別図柄データ１の乱数が‘０’に書き換えられる際に‘１’ずつ加算され、‘１１’に至ると、次に‘０’に書き換えられて再び前記加算が繰り返される。さらに、前記特別図柄データ３の乱数は、電源投入時に‘０’から始まって、前記特別図柄データ２の乱数が‘０’に書き換えられる際に‘１’ずつ加算され、‘１１’に至ると、次に‘０’に書き換えられて再び前記加算が繰り返される。これによって、特別図柄データ１〜３の乱数範囲が同一であっても、当該特別図柄データ１〜３の乱数が同期（同一の組合せで加算）するのを避けることができる。
【００５３】
前記特別図柄データ１〜３の各乱数は‘０’の場合には『０』、‘１’の場合には『１』、‘２’の場合には『２』というように、当否判定結果の外れ時に前記表示装置１０に停止表示される左特別図柄、中特別図柄、右特別図柄からなる識別情報が割り当てられている。前記特別図柄データ１〜３の乱数は、前記上側始動入賞口４１又は下側始動入賞口４２への入賞に起因して取得され、取得した特別図柄データ１〜３の乱数の組合せによって、外れ時に前記表示装置１０に表示される左特別図柄、中特別図柄、右特別図柄からなる識別情報が定まる。
【００５４】
変動パターン乱数用カウンタは、前記表示装置１０における特別図柄（判定図柄）の変動パターン（演出パターンに相当する）を変動パターンテーブル（演出パターンテーブルに相当する）から選択する際に用いられるものであり、‘０’〜‘１９８’の変動パターン乱数を備える。この変動パターン乱数値は、遊技機１の電源投入時に、‘０’から始まり、後述の普通図柄・特別図柄主要乱数更新処理ごとに１ずつ加算され、数値が‘１９８’に至ると、次に‘０’にされて再び前記加算を繰り返すようになっている。前記変動パターン乱数値は、前記上側始動入賞口４１あるいは下側側始動入賞口４２への入賞に起因して取得される。
【００５５】
前記変動パターンテーブルは複数設けられている。本実施例では、通常当たり変動パターンテーブル、通常リーチハズレ変動パターンテーブル、通常ハズレ変動パターンテーブル、確変当たり変動パターンテーブル、確変リーチハズレ変動パターンテーブル、確変ハズレ変動パターンテーブルからなる６種類のテーブルが設けられている。各変動パターンテーブルは、前記表示装置１０に表示する特別図柄の変動パターンの複数で構成されており、前記主制御基板２００のＲＯＭに記憶されている。変動パターンの選択は、本実施例では、遊技状態が確変状態あるいは通常状態の何れか、及び当否判定結果が当たりか外れかに応じて選択された変動パターンテーブルから、変動パターン乱数値に基づいて１つの変動パターンが選択される。通常当たり変動パターンテーブルからは通常当たり変動パターン、通常リーチハズレ変動パターンテーブルからは通常リーチハズレ変動パターン、通常ハズレ変動パターンテーブルからは通常ハズレ変動パターン、確変当たり変動パターンテーブルからは確変当たり変動パターン、確変リーチハズレ変動パターンテーブルからは確変リーチハズレ変動パターン、確変ハズレ変動パターンテーブルからは確変ハズレ変動パターンがそれぞれ選択される。各変動パターンには変動パターン乱数値が割り当てられており、取得した変動パターン乱数値と対応する変動パターンが選択される。各変動パターンには変動時間が設定されており、設定された変動時間に合わせて前記表示装置１０に表示する特別図柄の変動・停止の表示態様（特別図柄の変動時間を含む）及び特別図柄の変動中あるいは停止後に表示する背景やキャラクター、文字等の演出態様等が定められるように構成されている。
【００５６】
取得された大当たり乱数値、大当たり図柄乱数値、リーチ乱数値、変動パターン乱数値については、それぞれ最大設定個数、前記主制御基板２００のＲＡＭにおける該当領域に前記保留球数と対応させて格納され、順次使用される。
【００５７】
普通図柄乱数用カウンタは、普通図柄当たりを判定するもので、‘０’〜‘２９９’の普通図柄乱数を有し、遊技機１の電源投入時に、‘０’から始まって後述の普通図柄・特別図柄主要乱数更新処理ごとに ‘１’ずつ加算され、‘２９９’に至ると、次に‘０’に書き換えられて再び前記加算が繰り返される。この普通図柄乱数は、前記普通図柄変動開始用ゲート５５を通過した遊技球を前記普通図柄変動開始スイッチで検出するごとに取得され、最大４個まで前記主制御基板２００のＲＡＭの普通図柄乱数値記憶領域に格納される。前記普通図柄変動開始用ゲート５５を遊技球が通過することに起因して取得された普通図柄乱数の値が、低確率状態時には普通図柄当たり成立数値として設定されている‘５’（１／３００の確率）と一致すれば普通図柄当たりとなり、一方、確変（高確率）状態時には普通図柄当たり成立数値として設定されている‘０’〜‘５９’（１／５）の確率）と一致すれば普通図柄当たりとなる。普通図柄当たりの場合には『○』を普通図柄表示装置５０に表示し、前記下側始動入賞口４２を前記確変状態中か否かに対応した開放回数及び開放時間開放し、一方、取得した普通図柄乱数値が普通図柄当たり成立数値と一致しない場合には、普通図柄外れとなって『×』を普通図柄表示装置５０に表示し、前記下側始動入賞口４２を入賞の困難な状態のままとする。
【００５８】
前記遊技機１の電源投入時の遊技店側の操作及び遊技について説明する。
遊技店の店員等（遊技機操作者）が遊技機１の電源を投入すると、遊技機１の初期の処理において、前回の電源断から１週間以上経過しているか否かが判断され、１週間以上経過している場合には、遊技機毎に設定されて前記ＦＲＡＭ（登録商標、強誘電体メモリ）及びＲＡＭに記憶されている個別設定データの記憶、本実施例ではホールコードに関する設定データの記憶が削除される。一方、前回の電源断から１週間経過していない場合には、前記ＦＲＡＭ（登録商標、強誘電体メモリ）に記憶されているホールコードに関する設定データが維持され、設定を変更しない限り記憶されているデータに基づいた制御が行われる（自動削除手段に相当する）。
【００５９】
その後、所定時間以内、例えば遊技機１の電源を投入した後、３０秒以内に前記遊技操作ボタン６７を連続して５回押下（ＰＵＳＨ）すると、図４の（４−１）のように、前記表示装置１０に個別設定メニュー画面が表示される。個別設定メニュー画面では、「設定画面へ」、「初期化」、「設定終了」の何れかを、前記遊技操作ボタン６７の操作によって選択し、決定することができる。前記遊技ボタン６７の前後（上下）左右の操作によって、前記個別設定メニュー画面上でカーソルを移動させることができ、カーソルの位置する部分が明るくなって現在選択されていることを示す。また、前記遊技ボタン６７の押下（ＰＵＳＨ）によって、現在カーソルが位置して選択されているものに決定することができる。
【００６０】
［設定画面へ］に決定されると、（４−２）のようにホールコード入力画面が前記表示装置１０に表示され、遊技機毎に設定が可能なデータの設定（入力）が行われる。遊技機毎に設定が可能なデータは、本実施例ではホールコードとされている。ホールコードは、遊技店を識別するために遊技店毎に割り当てられた番号や記号等からコードである。
前記ホールコード入力画面における上部には、ホールコード入力部ｆ１が表示される。本実施例において入力するホールコードは、平仮名の８文字で構成されている。
【００６１】
前記ホールコード入力画面における中央部には、前記ホールコード入力部ｆ１に表示する文字を選択するための文字選択部ｆ２が表示される。前記文字選択部ｆ２は、本実施例では複数の平仮名文字が複数列×複数段に並んだ文字盤で構成され、前記遊技ボタン６７の前後（上下）左右の操作によって、前記文字盤上のカーソルを移動させることができ、カーソルの位置する部分が明るくなって現在選択されていることを示す。また、前記遊技ボタン６７の押下（ＰＵＳＨ）によって、現在カーソルが位置して選択されているものを前記ホールコード入力部ｆ１に入力（表示）することができる。
【００６２】
前記ホールコード入力画面における下部には、前記ホールコード入力部ｆ１における文字位置の選択、文字の消去、操作中止、表示したホールコードで決定するための編集操作部ｆ３が表示される。前記編集操作部ｆ３には、「１文字進む」、「１文字戻る」、「１文字消す」、「やめる」、「決定」の各選択アイコンが表示され、前記遊技ボタン６７の左右の操作によって、何れかを選択することができ、また、前記遊技ボタン６７の押下（ＰＵＳＨ）によって、現在カーソルが位置して選択されているものに決定することができる。なお、「１文字進む」は前記ホールコード入力部ｆ１における入力位置を１文字右へ移動させることであり、「１文字戻る」は前記ホールコード入力部ｆ１における入力位置を１文字左へ移動させることであり、「１文字消す」は前記ホールコード入力部ｆ１においてカーソルが位置する入力（表示）文字を消すことであり、「やめる」はホールコードの入力をやめることであり、「決定」は前記ホールコード入力部ｆ１に入力（表示）した内容に決定することである。
なお、前記文字選択部ｆ２と編集操作部ｆ３間は、前記遊技ボタン６７の上下（前後）の操作によって移動することができる。
【００６３】
前記ホールコードを入力して決定すると、（４−３）のようにホールコード演出設定画面が表示される。前記ホールコード演出設定画面では、前記ホールコード入力画面で入力・決定したホールコード（パスワード）に対して割り当てられているホール名（遊技店名）の確認と、ホール名を登場させる画面（場面）の選択と、ロゴカットイン（割り込み画面）におけるホール名（本実施例ではホール名ロゴ）の出現割合の設定が行われる。
【００６４】
前記ホールコード演出設定画面では、上部に前記ホールコード入力画面で入力・決定したホールコード（パスワード）に対して割り当てられているホール名（遊技店名）が表示される。
前記ホールコード演出設定画面における中央部には、ホール名及びホール名ロゴの表示を登場（出現）させる画面として「客待ち中表示」と「ロゴカットイン」の何れか又は両方を選択するための表示箇所選択部ｈ１が表示される。ホール名ロゴは、ホール名をロゴ化（図案化）したものであり、前記ホールコードに対してホール名と共にホール名ロゴが割り当てられている。本実施例では、客待ち中表示画面についてはホール名が表示可能に構成されている。客待ち中表示画面は待機画面とも称される。一方、特別図柄の変動中の演出におけるロゴカットイン（割り込み画面）についてはホール名ロゴからなる個別割り込み画面が、予め設定されている基本割り込み画面に代えて表示可能に構成されている。「客待ち中表示」と「ロゴカットイン」の何れか一方あるいは両方の選択は、前記遊技操作ボタン６７の前後（上下）操作によって「客待ち中表示」あるいは「ロゴカットイン」を反転させ、その状態で前記遊技操作ボタン６７を押下（ＰＵＳＨ）することによって、チェックが入り、選択される。なお、チェックを入れた状態で前記遊技操作ボタン６７を押下（ＰＵＳＨ）するとチェックが消えて選択が解除される。
【００６５】
前記表示箇所選択部ｈ１の右下部には、ロゴカットインにおける個別割り込み画面（ホール名ロゴマーク）の出現割合設定部ｈ２が表示される。出現割合は、特別図柄の変動中の演出における割り込み画面（カットイン）にホール名ロゴを有する個別設定割り込み画面を基本割り込み画面に代えて出現させる割合であり、前記遊技操作ボタン６７を右方向又は左方向を押すことにより１００％〜０％まで設定することができ、前記遊技操作ボタン６７を押下（ＰＵＳＨ）すると設定出現率が決定される。
【００６６】
前記ロゴカットイン出現割合設定部ｈ２の下方には、「決定」と「もどる」の選択アイコンが表示される。「決定」は、（４−３）のホールコード演出設定画面で設定した内容に決定することである。一方、「戻る」は設定をやり直すことである。前記遊技操作ボタン６７の左右によってアイコンを選択し、選択した状態で押下（ＰＵＳＨ）することにより選択アイコンの内容に決定される。
【００６７】
前記ホールコード演出設定画面の設定が終了すると、次に（４−４）のようにホール名を含む客待ち画面の確認表示が行われる。客待ち画面の確認表示では、「決定」と「もどる」の選択アイコンが表示され、正しければ「決定」を前記遊技操作ボタン６７の左右によって選択し、押下（ＰＵＳＨ）する。一方、正しくない場合には「もどる」を前記遊技操作ボタン６７の左右によって選択し、押下（ＰＵＳＨ）する。
【００６８】
前記客待ち画面が正しい場合、次に（４−５）のようにホール名ロゴを有するカットイン画面（個別割り込み画面）及び出現割合の確認表示が行われる。カットイン画面の確認表示では、「決定」と「もどる」の選択アイコンが表示され、正しければ「決定」を前記遊技操作ボタン６７の左右によって選択し、押下（ＰＵＳＨ）する。確認表示において「決定」を押下（ＰＵＳＨ）することで設定画面中に設定された情報が少なくともＦＲＡＭ（登録商標、強誘電体メモリ）に記憶（保存）される。一方、正しくない場合には「もどる」を前記遊技操作ボタン６７の左右によって選択し、押下（ＰＵＳＨ）する。
【００６９】
前記ロゴカットイン画面が正しい場合（設定の確認が終了した場合）、次に（４−６）のように、再び、前記（４−１）と同様の個別設定メニューが表示され、前記個別設定メニューで「設定終了」を選択して押下（ＰＵＳＨ）すると、個別設定メニューが終了し、遊技が開始される。
【００７０】
一方、図４の（４−１）で示した個別設定メニューにおいて、「初期化」を選択して押下（ＰＵＳＨ）すると、記憶されている個別設定の記憶、本実施例ではホールコードに関する記憶が初期化（削除）される。なお、「初期化」を選択して押下（ＰＵＳＨ）すると、次に「初期化完了」が表示され、再び（４−１）の個別設定メニューが表示される。
【００７１】
図４の（４−１）の前記個別設定メニューにおいて「設定終了」を選択して押下すると、遊技者による遊技が可能になる。そして、遊技者が前記遊技領域６へ向けて前記発射装置６４により遊技球を発射し、その遊技球が前記種々の入賞口に入賞すると入賞口に応じた所定数の遊技球が賞球として前記払出装置２８１から上側球受け皿３６に払い出される。また、前記普通図柄変動開始用ゲート５５を遊技球が通過すると、普通図柄乱数が取得され、その取得乱数値に基づいて普通図柄当たりの判定が行われると共に、前記普通図柄表示装置５０で普通図柄が変動を開始し、所定時間変動後に停止する。その際、普通図柄当たりの判定結果が当たりの場合には、当たり普通図柄、この例では『○』で停止し、前記下側始動入賞口４２の２つの可動片４２ａ，４２ｂが背面の始動入賞口用ソレノイドによって略垂直で入賞困難な閉鎖状態（通常状態）から略Ｖ字形（逆ハの字形）の入賞可能な開状態に変化する。なお、前記確変状態の場合に普通図柄当たりになると、前記下側始動入賞口４２について２秒の開放が３回行われ、一方、低確率状態の場合に普通図柄当たりになると、１秒の開放が１回行われる。前記下側始動入賞口４２に遊技球が入賞すると、所定数の遊技球が賞球として払い出される。
【００７２】
また、前記上側始動入賞口４１あるいは下側始動入賞口４２に遊技球が入賞すると、特別図柄保留球数が４未満であれば、特別図柄保留球数を１加算して、大当たり乱数値、大当たり図柄乱数値、リーチ乱数値、変動パターン乱数値等の乱数値を取得し、前記主制御基板２００のＲＡＭに、最大４となるまで入賞順に記憶される。そして、前記主制御基板２００のＲＡＭに記憶されている特別図柄保留球数が１以上であれば先に取得された大当たり乱数値に基づいて大当たりの当否判定が行われると共に、当否判定結果及び変動パターン乱数値に基づいて変動パターンテーブルから１つの変動パターンが選択される。そして選択された変動パターンに基づいて前記表示装置１０で特別図柄の変動表示が開始される。前記特別図柄保留球数は、本実施例では前記特別図柄の変動開始により前記主制御基板２００のＲＡＭから１減算され、変動開始と対応する乱数値が前記主制御基板２００のＲＡＭから削除（消去）される。なお、主制御基板２００のＲＡＭに記憶されている特別図柄保留球数が０の場合には、その後に前記上側始動入賞口４１あるいは下側始動入賞口４２に遊技球が入賞して、前記主制御基板２００のＲＡＭに記憶されている特別図柄保留球数が１以上となるまで、前記当否判定及び特別図柄の変動表示が行われない。
【００７３】
また、本実施例では前記特別図柄の変動がリーチを経て停止する変動パターン（演出パターン）、すなわち大当たりの変動パターンやリーチ有りの外れの変動パターンは、割り込み演出を実行可能な変動パターンを有する構成に設定されており、抽選で割り込み画面（カットイン）有りの変動パターンに当選すると、特別図柄の変動時の変動中（演出中）に割り込み画面（カットイン）が表示される。前記割り込み画面は、前記個別設定メニュー画面で設定した出現割合に応じて乱数等を使用した演算に基づいて予め設定されている基本割り込み画面か、前記個別設定メニュー画面で設定したホール名ロゴかが表示されるように構成されている。また、設定したホール名ロゴが表示される場合は、予め設定されている基本割り込み画面が出現するタイミングで基本割り込み画面に代えて前記個別設定メニュー画面で設定したホール名ロゴが登場する。
【００７４】
割り込み画面が表示される場合の特別図柄の変動表示例について図５に示す。前記上側始動入賞口４１あるいは上側始動入賞口４２へ入賞すると、（５−１）及び（５−２）のように、前記表示装置１０で特別図柄Ｔが変動表示を開始し、選択された変動パターンに設定されている変動時間変動表示を続け、（５−３）〜（５−５）に示すように演出が開始される。図示の例の演出では敵１キャラクターと主人公が対戦する表示が行われる。また、選択された変動パターンが割り込み画面（カットイン）ありの場合、（５−６）あるいは（５−７）のように演出の途中で割り込み画面（カットイン）が表示される。選択された変動パターンの中には割り込み画面（カットイン）が出る演出と同様の演出があり、その同様の演出は割り込み画面（カットイン）が出ない演出となっており、演出の途中で割り込み画面が出ることで遊技者に当りへの期待感を向上させることが可能となる。その際、予め設定されている基本割り込み画面（５−６）か、基本割り込み画面（５−６）に代えて、前記個別設定メニュー画面で決定されたホール名ロゴ（ホールマークとも称される）を有する個別割り込み画面（５−７）が、設定された出現割合に基づいて出現する。その後、割り込み画面が終了し、（５−８）のように演出が続行され、その後に（５−９）の例では主人公キャラクターが勝利し、変動時間の終了により、（５−１０）のように前記特別図柄Ｔが当否判定結果に応じた組合せで停止表示される。なお、（５−９）及び（５−１０）では、当否判定結果が大当たりのため、主人公キャラクターが勝利する場面を表示し、その後に特別図柄が大当たりの組合せで停止表示される。一方、当否判定結果が外れの場合には、敵１キャラクターが勝利する場面を表示した後、特別図柄が外れの組合せで停止表示される。
【００７５】
大当たりの図柄組合せで特別図柄が停止表示されると、次に特別遊技（大当たり遊技）状態になる。大当たり遊技（特別遊技）状態になると、前記大入賞口４５の開閉板４６が開いて遊技領域６の表面を落下してくる遊技球を受け止め易くして、大入賞口４５へ入賞可能にし、該大入賞口４５への入賞があると、所定数の遊技球が賞球として払い出される。前記開閉板４６は、所定時間（例えば１５秒）経過後、或いは入賞球数が所定個数（例えば１０個）となった時点で閉じるようにされ、１５ラウンド、前記開閉板４６の開閉を繰り返す。
【００７６】
また、本実施例では、前記表示装置１０に『０，０，０』、『２，２，２』、『４，４，４』等の偶数のぞろ目からなる通常大当たり図柄組合せで特別図柄が停止表示されると通常大当たりとなり、特別遊技（大当たり遊技）の終了後、次に大当たりの当否判定が行われるまで、大当たりの確率が低確率（本実施例では（２／６３０（１／３１５））とされる。一方、前記表示装置１０に『１，１，１』、『３，３，３』、『５，５，５』等の奇数のぞろ目からなる確変大当たり図柄組合せで特別図柄が停止表示されると確変大当たりとなり、特別遊技（大当たり遊技）の終了後、次に大当たりの当否判定が行われるまで、大当たりの確率が高確率（本実施例では（１２／６３０（６／３１５））に設定され、さらに、前記下側始動入賞口４２の開放（拡開）時間が、低確率（通常）状態の１秒から２秒に長くなり、かつ前記下側始動入賞口４２の開放（拡開）回数が低確率（通常）状態の１回から３回に増え、さらに、普通図柄当たりの確率が低確率（通常）状態の１／３００から１／５に増加する。
【００７７】
一方、外れの図柄組合せで特別図柄が停止表示されると、特別遊技（大当たり遊技）に移行することがない。そして、前記主制御基板２００のＲＡＭに記憶されている特別図柄保留球数が１以上であれば、再び前記と同様に大当たり乱数値等が取得され、取得された大当たり乱数値に基づいて大当たりの当否判定が行われると共に、当否判定結果及び変動パターン乱数値に基づいて変動パターンテーブルから１つの変動パターンが選択され、選択された変動パターンに基づいて前記表示装置１０で特別図柄の変動表示を含む演出が行われる。
【００７８】
以下に遊技機１における制御処理を説明する。前記主制御基板２００の制御回路に設けられる主なフラグとして、本実施例では大当たりフラグ、大当たり終了フラグ、確変フラグ等が挙げられる。これらのフラグは、初期設定時には全てＯＦＦ（＝０）にされる。
まず、前記主制御基板２００による制御処理について説明する。前記主制御基板２００の制御により、図６のフローチャートに示すメイン処理Ｍが行われる。
メイン処理Ｍでは、ＣＰＵ等の初期設定処理（Ｓ１０）、割り込み禁止処理（Ｓ２０）、普通図柄・特別図柄主要乱数更新処理（Ｓ３０）、割り込み許可処理（Ｓ４０）が行われ、最終処理においてループ処理が行われている間に４ｍｓ毎に割り込み処理（Ｓ１００）が実行される。
【００７９】
ＣＰＵ等の初期設定処理（Ｓ１０）では、スタックの設定、割り込み時間の設定、ＣＰＵの設定、ＳＩＯ、ＰＩＯ、ＣＴＣの設定等が行われると共に電源投入コマンドがセットされる。メイン処理Ｍは繰り返し行われるが、ＣＰＵ等の初期設定処理（Ｓ１０）については、電源投入時のみに必要な初期制御手順であり、最初の１巡目のみに実行され、その後は実行されないが、周知であるので詳細は省略する。
【００８０】
割り込み禁止処理（Ｓ２０）では、４ｍｓｅｃごとに割り込み処理（Ｓ１００）が入ってきても、割り込み許可となるまで、割り込みを禁止する。普通図柄・特別図柄主要乱数更新処理（Ｓ３０）では、種々の乱数が普通図柄・特別図柄主要乱数更新処理（Ｓ３０）ごとに加算され、前記のように各乱数の更新範囲上限値に至ると次に最低値に戻って再び加算が行われる。更新された乱数は前記主制御基板２００のＲＡＭに記憶される。割り込み許可処理（Ｓ４０）では、４ｍｓｅｃごとに入ってくる割り込み処理（Ｓ１００）に対して許可をする。
【００８１】
割り込み処理（Ｓ１００）では、図７に示すように、出力処理（Ｓ１０１）、入力処理（Ｓ１０２）、普通図柄・特別図柄主要乱数更新処理（Ｓ１０３）、始動入賞口検出処理（Ｓ１０４）、普通動作処理（Ｓ１０５）、特別動作処理（Ｓ１０６）、保留球数処理（Ｓ１０７）、電源断監視処理（Ｓ１０８）、その他の処理（Ｓ１０９）が順に行われる。
【００８２】
出力処理（Ｓ１０１）では、各処理で設定された出力用のコマンド（指令信号）が各制御基板に送信される。
入力処理（Ｓ１０２）では、遊技機１に取り付けられている各種センサ（スイッチ）が検知した場合の信号入力が行われる。
普通図柄・特別図柄主要乱数更新処理（Ｓ１０３）では、前記メイン処理Ｍにおけるループ処理内で行われている普通図柄・特別図柄主要乱数更新処理（Ｓ３０）と同様の処理が行われる。
【００８３】
始動入賞口検出処理（Ｓ１０４）では、図８に示すように、前記上側始動入賞口４１あるいは下側始動入賞口４２への入賞が検出されたか判断され（Ｓ１０４−１）、入賞が検出されていない場合には前記普通図柄変動開始用ゲート５５への遊技球通過が検出されたか判断される（Ｓ１０４−２）。前記普通図柄変動開始用ゲート５５への遊技球通過が検出されていない場合には、この始動入賞口検出処理（Ｓ１０４）が終了する。一方、前記普通図柄変動開始用ゲート５５への遊技球通過が検出された場合には、前記普通図柄保留球数が４以上か判断され（Ｓ１０４−３）、４以上の場合にはこの始動入賞口検出処理（Ｓ１０４）が終了する。一方、前記普通図柄保留球数が４未満であれば普通図柄保留球数に１加算され（Ｓ１０４−４）、普通図柄乱数値が取得され、取得した普通図柄乱数値が主制御基板２００のＲＡＭにおける対応する領域に記憶する普通図柄乱数取得処理が行われ（Ｓ１０４−５）、この始動入賞口検出処理（Ｓ１０４）が終了する。
【００８４】
前記Ｓ１０４−１で前記上側始動入賞口４１あるいは下側始動入賞口４２への入賞が検出されたと判断されると、前記特別図柄保留球数が４以上か判断され（Ｓ１０４−６）、４以上の場合にはこの始動入賞口検出処理（Ｓ１０４）が終了する。一方、前記特別図柄保留球数が４未満であれば、特別図柄保留球数に１加算され（Ｓ１０４−７）、大当たり乱数値、大当たり図柄乱数値、リーチ乱数値、変動パターン乱数値等の特別図柄関係乱数を取得して主制御基板２００のＲＡＭの対応する領域に記憶する特別図柄関係乱数取得処理が行われ（Ｓ１０４−８）、この始動入賞口検出処理（Ｓ１０４）が終了する。
【００８５】
普通動作処理（Ｓ１０５）では、図９に示すように、まず前記下側始動入賞口４２が開放中か確認される（Ｓ１０５−１）。前記下側始動入賞口４２が閉鎖中であれば、普通図柄保留球数が０か確認され（Ｓ１０５−２）、０であればこの普通動作処理（Ｓ１０５）が終了する。一方、普通図柄保留球数が０では無い場合には、前記始動入賞口検出処理（Ｓ１０４）の普通図柄乱数取得処理（Ｓ１０４−５）で取得されて主制御基板２００のＲＡＭに記憶されている取得普通図柄乱数値が読み出され（Ｓ１０５−３）、現在確変中（確変フラグがＯＮ）か確認される（Ｓ１０５−４）。確変中ではない場合、前記取得普通図柄乱数値が低確率状態の普通図柄当たり成立数値と対比されて両者が一致するか確認され、一致する場合には低確率状態での普通図柄当たりとなり、一致しない場合には外れと判断される（Ｓ１０５−５）。外れの場合には、この普通動作処理（Ｓ１０５）が終了し、一方、普通図柄当たりの場合には、下側始動入賞口４２を開放時間１秒、開放回数１回で開放する始動入賞口開放処理１が行われ（Ｓ１０５−６）、その後にこの普通動作処理（Ｓ１０５）が終了する。それに対して、Ｓ１０５−４で確変中と判断されると、前記取得普通図柄乱数値が高確率状態の普通図柄たり成立数値と対比されて両者が一致するか確認され、一致する場合には高確率状態での普通図柄当たりとなり、一致しない場合には外れと判断される（Ｓ１０５−７）。外れの場合には、この普通動作処理（Ｓ１０５）が終了し、一方、普通図柄当たりの場合には、下側始動入賞口４２を開放時間２秒、開放回数３回で開放する始動入賞口開放処理２が行われ（Ｓ１０５−８）、その後にこの普通動作処理（Ｓ１０５）が終了する。
【００８６】
また、Ｓ１０５−１で下側始動入賞口４２が開放中と判断されると、下側始動入賞口４２の開放時間が経過（終了）したか確認され（Ｓ１０５−９）、始動入賞口開放時間が経過していない場合には、この普通動作処理（Ｓ１０５）が終了し、一方、始動入賞口開放時間が経過した場合には、下側始動入賞口４２を閉鎖する処理が行われ（Ｓ１０５−１０）、その後にこの普通動作処理（Ｓ１０５）が終了する。
【００８７】
特別動作処理（Ｓ１０６）では、図１０に示すように、特別動作ステータスが１〜４の何れであるか判断される（Ｓ１０６−１〜Ｓ１０６−３）。前記特別動作ステータスが１の場合には特別図柄待機処理（Ｓ１０６−４）が行われ、前記特別動作ステータスが２の場合には変動中処理（Ｓ１０６−５）が行われ、前記特別動作ステータスが３の場合には特別図柄確定処理（Ｓ１０６−６）が行われ、前記特別動作ステータスが４の場合には特別電動役物処理（Ｓ１０６−７）が行われる。
【００８８】
特別動作ステータスが１の場合に行われる特別図柄待機処理（Ｓ１０６−４）では、図１１に示すように、特別図柄保留球数が０か否か判断され（Ｓ１０６−４−１）、特別図柄保留球数が０の場合には前記表示装置１０が特別図柄の変動中ではない待機画面（客待ち中表示画面）中か否か判断され（Ｓ１０６−４−９）、待機画面中であれば、この特別図柄待機処理（Ｓ１０６−４）が終了する。一方、待機画面中ではない場合には前記表示装置１０を待機画面にするための待機画面設定処理が行われ（Ｓ１０６−４−１０）、次に待機中にセットされ（Ｓ１０６−４−１１）、その後にこの特別図柄待機処理（Ｓ１０６−４）が終了する。なお、待機画面にする設定処理は、この設定処理がなされてから所定時間の間、前記上側始動入賞口４１あるいは下側始動入賞口４２に遊技球が入賞しない場合に、待機画面（客待ち中表示画面）をセットするコマンドが出力されるようにする処理である。
それに対して前記Ｓ１０６−４−１で特別図柄保留球数が０ではないと判断された場合には、特別図柄大当たり判定処理（Ｓ１０６−４−２）が行われる。
【００８９】
特別図柄大当たり判定処理（Ｓ１０６−４−２）では、図１２に示すように、まず、前記始動入賞口検出処理（Ｓ１０４）の特別図柄関係乱数取得処理（Ｓ１０４−８）で取得されて主制御基板２００のＲＡＭに記憶されている大当たり乱数値が読み出され（Ｓ１０６−４−２−１）、次に現在確変中（高確率状態）か確認される（Ｓ１０６−４−２−２）。確変中か否かは、確変フラグがＯＮの場合に確変中と判断され、一方確変フラグがＯＦＦの場合に確変中ではない低確率状態と判断される。確変中ではない低確率状態の場合、前記取得大当たり乱数値が低確率状態時の大当たり成立数値と対比されて両者が一致するか確認され、一致する場合には低確率状態での大当たりとなり、一致しない場合には外れと判断される（Ｓ１０６−４−２−３）。外れの場合には、この特別図柄大当たり判定処理（Ｓ１０６−４−２）が終了し、一方、大当たりの場合には、大当たりフラグがＯＮにセットされ（Ｓ１０６−４−２−５）、その後にこの特別図柄大当たり判定処理（Ｓ１０６−４−２）が終了する。それに対して、Ｓ１０６−４−２−２で確変中（高確率状態）と判断されると、前記取得大当たり乱数値が高確率状態時の大当たり成立数値と対比されて両者が一致するか確認され、一致する場合には高確率状態での大当たりとなり、一致しない場合には外れと判断される（Ｓ１０６−４−２−４）。外れの場合には、この特別図柄大当たり判定処理（Ｓ１０６−４−２）が終了し、一方、大当たりの場合には、大当たりフラグがＯＮにセットされ（Ｓ１０６−４−２−５）、その後にこの特別図柄大当たり判定処理（Ｓ１０６−４−２）が終了する。この特別図柄大当たり判定処理（Ｓ１０６−４−２）は、当否判定手段に相当する。
【００９０】
前記特別図柄大当たり判定処理（Ｓ１０６−４−２）の次に特別図柄選択処理（Ｓ１０６−４−３）が行われる。
特別図柄選択処理（Ｓ１０６−４−３）では、前記表示装置１０で停止表示する特別図柄の組合せ（判定結果の表示図柄）が決定され、決定された図柄の元となる図柄データが、前記出力処理（Ｓ１０１）でサブ制御基板２０５へ送信されるようにここでセットされる。なお、サブ制御基板２０５の処理では、受信した図柄データに基づく特別図柄の組合せが選択されて、前記表示制御基板２１０へ出力される。
【００９１】
前記特別図柄選択処理（Ｓ１０６−４−３）では、図１３に示すように、まず大当たりフラグがＯＮか判断され（Ｓ１０６−４−３−１）、大当たりフラグがＯＮ、すなわち大当たりの場合には前記大当たり図柄乱数に基づく特別図柄が停止特別図柄としてセットされる（Ｓ１０６−４−３−２）。一方、大当たりフラグがＯＮではない、すなわち外れの場合には、特別図柄データ乱数値（特別図柄データ１・特別図柄データ２・特別図柄データ３）を取得し（Ｓ１０６−４−３−３）、前記特別図柄データ１と特別図柄データ２と特別図柄データ３の乱数値が全て一致しているか判断され（Ｓ１０６−４−３−４）、一致している場合にはリーチ乱数値がリーチ成立数値と一致しているか判断される（Ｓ１０６−４−３−５）。リーチ乱数値がリーチ成立数値と一致している場合にはリーチ有りとなり、前記特別図柄データ１の乱数値に割り当てられている特別図柄が停止左特別図柄、特別図柄データ２の乱数値に１加算した乱数値に割り当てられている特別図柄が停止中特別図柄、特別図柄データ３の乱数値に割り当てられている特別図柄が停止右特別図柄にセットされる（Ｓ１０６−４−３−６）。一方、リーチ乱数値がリーチ成立数値と一致していない場合にはリーチ無しとなり、前記特別図柄データ１の乱数値に割り当てられている特別図柄が停止左特別図柄、特別図柄データ２の乱数値に割り当てられている特別図柄が停止中特別図柄、特別図柄データ３の乱数値に１加算した乱数値に割り当てられている特別図柄が停止右特別図柄にセットされる（Ｓ１０６−４−３−７）。
【００９２】
前記Ｓ１０６−４−３−４で特別図柄データ１と２と３の乱数値が一致していないと判断された場合には、特別図柄データ１と３の乱数値が一致しているか判断される（Ｓ１０６−４−３−８）。特別図柄データ１と３の乱数値が一致している場合には、リーチ乱数値がリーチ成立数値と一致しているか判断される（Ｓ１０６−４−３−９）。リーチ乱数値がリーチ成立数値と一致している場合にはリーチ有りとなり、前記特別図柄データ１の乱数値に割り当てられている特別図柄が停止左特別図柄、特別図柄データ２の乱数値に割り当てられている特別図柄が停止中特別図柄、特別図柄データ３の乱数値に割り当てられている特別図柄が停止右特別図柄にセットされる（Ｓ１０６−４−３−１０）。一方、リーチ乱数値がリーチ成立数値と一致していない場合にはリーチ無しとなり、前記特別図柄データ１の乱数値に割り当てられている特別図柄が停止左特別図柄、特別図柄データ２の乱数値に割り当てられている特別図柄が停止中特別図柄、特別図柄データ３の乱数値に１加算した乱数値に割り当てられている特別図柄が停止右特別図柄にセットされる（Ｓ１０６−４−３−７）。
【００９３】
前記Ｓ１０６−４−３−８で特別図柄データ１と３の乱数値が一致していない、すなわち特別図柄データ１，２，３が全て異なると判断された場合には、リーチ乱数値がリーチ成立数値と一致しているか判断される（Ｓ１０６−４−３−１１）。リーチ乱数値がリーチ成立数値と一致している場合にはリーチ有りとなり、前記特別図柄データ３の乱数値に割り当てられている特別図柄が停止左特別図柄と停止右特別図柄にセットされると共に、特別図柄データ３の乱数値に１加算した乱数値に割り当てられている特別図柄が停止中特別図柄にセットされる（Ｓ１０６−４−３−１２）。一方、リーチ乱数値がリーチ成立数値と一致していない場合にはリーチ無しとなり、前記特別図柄データ１の乱数値に割り当てられている特別図柄が停止左特別図柄、特別図柄データ２の乱数値に割り当てられている特別図柄が停止中特別図柄、特別図柄データ３の乱数値に割り当てられている特別図柄が停止右特別図柄にセットされる（Ｓ１０６−４−３−１０）。なお、前記特別図柄選択処理（Ｓ１０６−４−３）は、図柄データ決定手段に相当し、ここで決定された図柄データがサブ制御基板２０５に送信されて、サブ制御基板２０５の処理で図柄データに従って図柄が設定される。本実施例では、表示装置に表示する図柄を主制御基板２００で選択しているが、サブ制御基板２０５で決定してもよいとする。また、主制御基板２００で決定した図柄を表示装置と異なる他の表示装置で表示し、主制御基板２００で決定した図柄の図柄データに基づいて表示装置に表示する図柄をサブ制御基板２０５で決定してもよいとする。その際は、主制御基板２００とサブ制御基板２０５による表示方法が異なるが、サブ制御基板２０５が主制御基板２００のデータに基づいて図柄を決定していれば互いの図柄の認識が異なっていても良いとする。
【００９４】
前記特別図柄選択処理（Ｓ１０６−４−３）の次に特別図柄変動パターン選択処理（Ｓ１０６−４−４）が行われる。
特別図柄変動パターン選択処理（Ｓ１０６−４−４）は、変動パターン選択手段（本発明の演出パターン選択手段）に相当し、当否判定結果に基づき複数の変動パターンテーブルから一つのテーブル（変動パターンテーブル）が選択され、選択した変動パターンテーブルから前記変動パターン乱数値により一つの変動パターン（演出パターン）が選択される。
【００９５】
前記特別図柄変動パターン選択処理（Ｓ１０６−４−４）では、図１４及び図１５に示すように、まず、確変中（高確率状態）か否か判定される（Ｓ１０６−４−４−１）。確変中ではない通常状態（低確率状態）の場合には、大当たりフラグがＯＮ（大当たり）か否か判定される（Ｓ１０６−４−４−２）。大当たりフラグがＯＮ（大当たり）の場合には、通常当たり変動パターンテーブルから変動パターン乱数値に応じて変動パターンが選択される（Ｓ１０６−４−４−３）。
【００９６】
一方、Ｓ１０６−４−４−２で大当たりフラグがＯＦＦ（外れ）と判定されると、記憶されていたリーチ乱数値が読み出されてリーチ成立数値と一致するか判定され（Ｓ１０６−４−４−４）、一致する場合には通常リーチハズレ変動パターンテーブルから変動パターン乱数値に応じて変動パターンが選択され（Ｓ１０６−４−４−５）、一致しない場合には通常ハズレ変動パターンテーブルから変動パターン乱数値に応じて変動パターンが選択される（Ｓ１０６−４−４−６）。
【００９７】
前記Ｓ１０６−４−４−１で確変中（高確率状態）と判断されると、大当たりフラグがＯＮ（大当たり）か否か判断される（Ｓ１０６−４−４−７）。大当たりフラグがＯＮ（大当たり）の場合には、確変当たり変動パターンテーブルから変動パターン乱数値に応じて変動パターンが選択される（Ｓ１０６−４−４−８）。
【００９８】
一方、Ｓ１０６−４−４−７で大当たりフラグがＯＦＦ（外れ）と判定されると、記憶されているリーチ乱数値が読み出されてリーチ成立数値と一致するか判定され、一致する場合には確変リーチハズレ変動パターンテーブルから変動パターン乱数値に応じて変動パターンが選択され（Ｓ１０６−４−４−１０）、一致しないと判定された場合には確変ハズレ変動パターンテーブルから変動パターン乱数値に応じて変動パターンが選択される（Ｓ１０６−４−４−１１）。
【００９９】
前記変動パターンの選択後、選択した変動パターンの変動コマンドが出力バッファに格納され（Ｓ１０６−４−４−１２）、次にその他の処理が行われ（Ｓ１０６−４−４−１３）、その後にこの特別図柄変動パターン選択処理（Ｓ１０６−４−４）が終了する。
【０１００】
前記特別図柄変動パターン選択処理（Ｓ１０６−４−４）の次に特別図柄乱数シフト処理（Ｓ１０６−４−５）が行われる。
特別図柄乱数シフト処理（Ｓ１０６−４−５）では、前記ＲＡＭの特別図柄保留球数のデータ記憶領域において、ロード（読み出し）順位一位のアドレスの記憶領域に記憶されていた特別図柄保留球数のデータが、先の処理によりロードされて空席となることに起因して、ロード順位が二位以降のアドレスに記憶されている特別図柄保留球数のデータについて、ロード順位を一つずつ繰り上げるアドレスのシフトが行われる。具体的には、図１６に示すように、まず、前記主制御基板２００のＲＡＭに記憶されている前記特別図柄保留球数から１減算（例えば保留球数２のものは１にされ、３のものは２にされる等）され（Ｓ１０６−４−５−１）、次に各保留球数に対応するデータが各保留球数から１減算した保留球数のＲＡＭアドレスにシフトされ（Ｓ１０６−４−５−２）、続いて最上位（ロード順位が最後、本実施例では４個目）の特別図柄保留球数に対応するＲＡＭアドレスに０がセットされる（Ｓ１０６−４−５−３）。
【０１０１】
前記特別図柄乱数シフト処理（Ｓ１０６−４−５）に次いで、特別図柄変動開始処理（Ｓ１０６−４−６）が行われる。特別図柄変動開始処理（Ｓ１０６−４−６）では、特別図柄の変動開始に必要な処理が行われる。
前記特別図柄変動開始処理（Ｓ１０６−４−６）の次に、特別動作ステータスが２に設定され（Ｓ１０６−４−７）、待機中が解除され（Ｓ１０６−４−８）、前記特別図柄待機処理（Ｓ１０６−４）が終了する。
【０１０２】
前記特別動作ステータスが２の場合に行われる変動中処理（Ｓ１０６−５）では図１７に示すように、まず特別図柄の変動時間（変動パターンの変動時間）が終了したか否か判断され（Ｓ１０６−５−１）、変動時間が終了していなければこの変動中処理（Ｓ１０６−５）が終了する。一方、変動時間が終了していれば変動停止コマンドがセットされる（Ｓ１０６−５−２）。続いて特別動作ステータスが３にセットされ（Ｓ１０６−５−３）、その他必要な処理（Ｓ１０６−５−４）が行われた後に、この変動中処理（Ｓ１０６−５）が終了する。
【０１０３】
前記特別動作ステータスが３の場合に行われる特別図柄確定処理（Ｓ１０６−６）では図１８に示すように、まず大当たりフラグがＯＮか否か、すなわち大当たりか否か判断される（Ｓ１０６−６−１）。大当たりフラグがＯＮ、すなわち大当たりの場合には、大当たりコマンドが出力バッファに格納され（Ｓ１０６−６−２）、特別動作ステータスが４にセットされた（Ｓ１０６−６−３）後、この特別図柄確定処理（Ｓ１０６−６）が終了する。一方、大当たりフラグがＯＦＦ、すなわち外れの場合には、特別動作ステータスが１にセットされ（Ｓ１０６−６−４）、この特別図柄確定処理（Ｓ１０６−６）が終了する。
【０１０４】
前記特別動作ステータスが４の場合に行われる特別電動役物処理（Ｓ１０６−７）は、特別遊技期間実行手段（大当たり遊技実行手段）に相当する。特別電動役物処理（Ｓ１０６−７）では、図１９及び図２０に示すように、確変フラグがＯＦＦにされ（Ｓ１０６−７−１）、前記表示装置１０で大当たりオープニング演出が実施されたか確認される（Ｓ１０６−７−２）。大当たりオープニング演出が実施されていない場合には、大当たりオープニング演出が実行され（Ｓ１０６−７−３）、その後に大当たり終了フラグがＯＮ（大当たり遊技終了）か否か判断される（Ｓ１０６−７−４）。一方、大当たりオープニング演出が実施済みの場合には、次に大当たり終了フラグがＯＮ（大当たり遊技終了）か否か判断される（Ｓ１０６−７−４）。
【０１０５】
大当たり終了フラグがＯＮではない、すなわち大当たり遊技終了ではない場合には現在大入賞口４５が開放中か否か判断され（Ｓ１０６−７−５）、開放中ではなく閉鎖中の場合には大入賞口４５の開放時間か否か判断される（Ｓ１０６−７−６）。大入賞口４５の開放時間の場合には大入賞口の開放処理が行われ（Ｓ１０６−７−７）、その後にこの特別電動役物処理（Ｓ１０６−７）が終了する。それに対して大入賞口４５の開放時間となっていないときには、この特別電動役物処理（Ｓ１０６−７）が終了する。
【０１０６】
一方、前記Ｓ１０６−７−５で大入賞口４５が開放中と判断されると、大入賞口閉鎖時間か（Ｓ１０６−７−８）、若しくは大入賞口４５に１０個遊技球が入賞（Ｓ１０６−７−９）の何れかであるか否か判断され、何れでもない場合にはそのままこの特別電動役物処理（Ｓ１０６−７）が終了し、それに対して大入賞口閉鎖時間、若しくは大入賞口４５に１０個遊技球が入賞の何れかである場合には、大入賞口閉鎖処理（Ｓ１０６−７−１０）が実行され、その後にラウンド終了時間か確認される（Ｓ１０６−７−１１）。ラウンド終了時間ではない場合には、そのままこの特別電動役物処理（Ｓ１０６−７）が終了し、それに対してラウンド終了時間の場合には、ラウンドカウンタの値から１減算する処理（Ｓ１０６−７−１２）が行われる。なお、前記大入賞口閉鎖処理（Ｓ１０６−７−１０）では、大入賞口閉鎖のコマンドが出力バッファにセットされる。続いて、ラウンドカウンタが０か否か判断され（Ｓ１０６−７−１３）、ラウンドカウンタが０ではない場合には、そのままこの特別電動役物処理（Ｓ１０６−７）が終了し、それに対してラウンドカウンタが０の場合には、大当たり終了処理と大当たり終了フラグがＯＮにする処理（Ｓ１０６−７−１４）が行われた後、この特別電動役物処理（Ｓ１０６−７）が終了する。なお、前記大当たり終了処理では、エンディングの準備が行われる。
【０１０７】
それに対し、前記Ｓ１０６−７−４で大当たり終了フラグがＯＮ、すなわち大当たり終了と判断されると、大当たり終了フラグをＯＦＦにセットする処理（Ｓ１０６−７−１５）と、大当たりフラグをＯＦＦにする処理（Ｓ１０６−７−１６）が行われ、次に停止特別図柄が確変図柄（奇数のぞろ目）であるか確認され（Ｓ１０６−７−１７）、停止特別図柄が確変図柄である場合には確変フラグがＯＮにされ（Ｓ１０６−７−１８）、一方、停止特別図柄が確変図柄ではなく通常図柄（偶数のぞろ目）である場合には確変フラグがＯＦＦにされ（Ｓ１０６−７−１９）、その後に特別動作ステータスが１にセットされ（Ｓ１０６−７−２０）、この特別電動役物処理（Ｓ１０６−７）が終了する。
【０１０８】
前記特別動作処理（Ｓ１０６）の次に保留球数処理（Ｓ１０７）が行われる。保留球数処理（Ｓ１０７）では、図２１に示すように現在の保留球数がロードされ（Ｓ１０７−１）、保留球数が出力バッファにセットされる（Ｓ１０７−２）。
【０１０９】
前記保留球数処理（Ｓ１０７）の次に電源断監視処理（Ｓ１０８）が行われる。電源断監視処理（Ｓ１０８）では、図２２に示すように、電源断信号が入力したか判断され（Ｓ１０８−１）、電源断信号が入力していない場合にはこの電源断監視処理（Ｓ１０８）が終了する。一方、電源断信号が入力している場合には、現在のデータ（遊技状態）が前記主制御基板２００のＲＡＭに記憶され（Ｓ１０８−２）、その後電源断フラグがＯＮに設定され（Ｓ１０８−３）、この電源断監視処理（Ｓ１０８）が終了する。なお、前記主制御基板２００のＲＡＭに記憶されるデータ（遊技状態）としては、大きく分けて、表示待機中、図柄変動中、図柄確定表示中、大当たり遊技中のデータがあり、さらにそれぞれ確変状態（高確率状態）と通常状態（低確率状態）のデータがある。
【０１１０】
前記電源断監視処理（Ｓ１０８）の次にその他の処理（Ｓ１０９）が行われる。その他の処理（Ｓ１０９）では、遊技制御に必要なその他の処理が行われる。
【０１１１】
前記サブ制御基板（サブ制御装置）２０５が行う処理について説明する。
前記サブ制御基板２０５が行うサブ制御メイン処理Ｊでは、図２３に示すように、遊技機１の電源投入時にサブ制御基板２０５においてＣＰＵ初期化処理が行われる（Ｓ２０１）。ＣＰＵ初期化処理では、外部ＩＮＴ割り込み（受信割り込み）処理（Ｓ３００）、１ｍｓタイマ割り込み処理（Ｓ４００）、１０ｍｓタイマ割り込み処理（Ｓ５００）に対する設定等が行われる。次に、電源断信号がＯＮでＲＡＭの内容が正常か判断される（Ｓ２０２）。電源断信号がＯＮでなかったり、電源断信号がＯＮでＲＡＭの内容が正常でない場合など電源断信号の状態とＲＡＭの内容正常の両方を満たさない場合（異常時）は、ＲＡＭの初期化処理（Ｓ２０３）とシステム初期化処理（Ｓ２０４）が行われ、その後にウオッチドッグタイマカウンタ１、２の初期化が行われる（Ｓ２０５）。
【０１１２】
前記システム初期化処理（Ｓ２０４）では、ＲＡＭの記憶が初期化されていることからＦＲＡＭ（登録商標、強誘電体メモリ）の情報等を取得して再設定するため、図２４に示すように、前記ＦＲＡＭ（登録商標、強誘電体メモリ）に格納されているホールコードの取得（Ｓ２０４−１）、前記ＦＲＡＭ（登録商標、強誘電体メモリ）に格納されている演出設定情報の取得（Ｓ２０４−２）が行われ、またＲＴＣ電源投入フラグがＯＮに設定されると共にバックアップ完了フラグがＯＦＦに設定され（Ｓ２０４−３）、その後にこのシステム初期化処理（Ｓ２０４）が終了する。
【０１１３】
一方、前記Ｓ２０２で電源断信号ＯＮとＲＡＭの内容正常の両方を満たすと判断された場合には、ＲＡＭの初期化（Ｓ２０３）及びシステム初期化処理（Ｓ２０４）を行うことなくウオッチドッグタイマカウンタ１、２の初期化が行われる（Ｓ２０５）。Ｓ２０１〜Ｓ２０５の処理は、電源投入時の１順目にのみ実行され、その後は実行されることがない。
【０１１４】
ウオッチドッグタイマカウンタ１、２の初期化（Ｓ２０５）の後、ループ処理で割り込み禁止（Ｓ２０６）、乱数シード更新（Ｓ２０７）、コマンド送信処理（Ｓ２０８）、ウオッチドッグタイマカウンタ１初期化（Ｓ２０９）、割り込み許可（Ｓ２１０）が行われる。また、ループ処理の間に、外部ＩＮＴ割り込み処理（Ｓ３００）、１ｍｓタイマ割り込み処理（Ｓ４００）、１０ｍｓタイマ割り込み処理（Ｓ５００）が行われる。
【０１１５】
割り込み禁止（Ｓ２０６）では、割り込みが入っても割り込みを禁止する。
乱数シード更新（Ｓ２０７）では、サブ制御基板２０５に設けられている乱数等について更新が行われる。
コマンド送信処理（Ｓ２０８）では、サブ制御処理においてセットされた各種のコマンドが対応する基板、装置等に送信される。
ウオッチドッグタイマカウンタ１初期化（Ｓ２０９）では、ウオッチドッグタイマカウンタ１の値が初期化される。
割り込み許可（Ｓ２１０）では、割り込みの実行を許可する。
【０１１６】
外部ＩＮＴ割り込み処理（Ｓ３００）では、図２５に示すように、前記主制御基板２００からのストローブ（ＳＴＢ）信号がＯＮか確認され（Ｓ３０１）、ストローブ信号がＯＮ、すなわち外部ＩＮＴ入力部にストローブ信号が入力されると、前記主制御基板２００から出力されたコマンド（制御信号）の受信およびＲＡＭへの格納が行われる（Ｓ３０２）。それに対し、ストローブ信号がＯＮになっていなければ、その時点でこの外部ＩＮＴ割り込み処理（Ｓ３００）が終了する。
【０１１７】
１ｍｓタイマ割り込み処理（Ｓ４００）では、図２６に示すように、ランプデータ出力処理（Ｓ４０１）、ＳＷ／駆動出力処理（Ｓ４０２）、入力処理（Ｓ４０３）、ウオッチドッグタイマ処理（Ｓ４０４）が行われる。
ランプデータ出力処理（Ｓ４０１）では、１０ｍｓタイマ割り込み処理で作成したランプデータの出力が行われる。
ＳＷ／駆動出力処理（Ｓ４０２）では、遊技ボタンスイッチ６７の有効期間及び動作の出力が行われる。
入力処理（Ｓ４０３）では、スイッチのエッジデータ及びレベルデータの作成が行われる。
ウオッチドッグタイマ処理（Ｓ４０４）では、ウオッチドッグタイマのリセット設定が行われる。
【０１１８】
１０ｍｓタイマ割り込み処理（Ｓ５００）では、図２７に示すように、スイッチ状態取得処理（Ｓ５０１）、音声制御処理（Ｓ５０２）、メインコマンド解析処理（Ｓ５０３）、ＳＷ処理（Ｓ５０４）、ランプ処理（Ｓ５０５）、ＲＴＣ時刻処理（Ｓ５０６）等が行われる。
【０１１９】
スイッチ状態取得処理（Ｓ５０１）では、１ｍｓタイマ割り込み処理（Ｓ４００）で作成されたスイッチデータが、１０ｍｓタイマ割り込み処理用のスイッチデータとして格納される。
音声制御処理（Ｓ５０２）では、前記スピーカ３８から発する音声のための処理が行われる。
【０１２０】
メインコマンド解析処理（Ｓ５０３）では、図２８に示すように、前記主制御基板２００から受信したコマンドが客待ち待期コマンド（待期画面コマンド）、電源投入コマンド、変動コマンド、その他のコマンドの何れか判断され（Ｓ５０３−２〜Ｓ５０３−４）、何れでもない場合にはこのメインコマンド解析処理（Ｓ５０３）が終了する。
【０１２１】
受信したコマンドが客待ち待期コマンドの場合、客待ち用画面処理が行われ（Ｓ５０３−５）、その後にこのメインコマンド解析処理（Ｓ５０３）が終了する。前記客待ち用画面処理（Ｓ５０３−５）では、客待ち用画面のシナリオ設定等が行われる。また、個別設定メニュー画面において「客待ち中表示」にホール名及びホール名ロゴの表示を登場（出現）させると設定している場合は、シナリオ設定内において設定されたホール名或いはホール名ロゴが表示されるように構成されている。
また、受信したコマンドが電源投入コマンドの場合、前記遊技操作ボタン６７が所定時間（例えば３０秒以内）に５回押下（ＰＵＳＨ）したか判断され（Ｓ５０３−６）、５回押下した場合には個別設定処理（Ｓ５２０）が行われ、それに対して５回押下していない場合には、このメインコマンド解析処理（Ｓ５０３）が終了する。
【０１２２】
前記個別設定処理（Ｓ５２０）は、遊技機毎に使用する画像を任意の操作によって決定する画像決定手段と、前記割り込み画面として前記基本割り込み画面に代えて前記個別割り込み画面を使用する割合を設定する出現割合設定手段に相当し、また、遊技機毎に設定が可能なデータを遊技機操作者の任意の操作によって設定するデータ設定手段に相当する。前記個別設定処理（Ｓ５２０）では、図４の（４−１）で示した個別設定メニューに対する処理が行われる。前記個別設定処理（Ｓ５２０）では、図２９に示すように、カーソルによる選択が「設定画面へ」、「初期化」、「設定終了」の何れか判断され（Ｓ５２０−１〜Ｓ５０２−３）、何れでもない場合には、前記カーソルによる選択が何れかを判断する処理（Ｓ５２０−１〜Ｓ５０２−３）が繰り返される。
【０１２３】
カーソルによる選択が「設定画面へ」の場合、ホールコード入力画面処理（Ｓ５２０−４）が行われる。ホールコード入力画面処理（Ｓ５２０−４）では、カーソル情報（上下方向、横方向）のセット、図４の（４−２）に示したホールコード入力画面を表示させるためのコマンドセット、ホールコード入力画面のＳＷコマンドセット格納が行われる。前記ホールコード入力画面処理（Ｓ５２０−４）の次にホールコード入力画面処理（Ｓ５２０−５）が行われ、その後にこの個別設定処理（Ｓ５２０）が終了する。前記ホールコード入力画面処理（Ｓ５２０−５）については後述する。
【０１２４】
カーソルによる選択が「初期化」の場合、前記サブ制御基板２０５のＦＲＡＭ（登録商標、強誘電体メモリ）とＲＡＭに格納されているホールコードの初期化が行われる（Ｓ５２０−６）と共に、前記サブ制御基板２０５のＦＲＡＭ（登録商標、強誘電体メモリ）とＲＡＭに格納されている演出設定情報の初期化が行われ（Ｓ５２０−７）、その後にこの個別設定情報（Ｓ５２０）が終了する。前記Ｓ５２０−２、Ｓ５２０−６及びＳ５２０−７の処理は、設定記憶手段から設定を削除するか否かを遊技機操作者の任意の操作によって選択し、削除が選択された場合に削除を実行する通常削除手段に相当する。
一方、カーソルによる選択が「設定終了」の場合、この個別設定情報（Ｓ５２０）が終了する。
【０１２５】
前記カーソルによる選択が「設定画面へ」の場合に行われるホールコード入力画面ＳＷ処理（Ｓ５２０−５）では、図４の（４−２）に示したホールコード入力画面における前記遊技操作ボタン６７によるカーソル位置の情報や文字の入力に関する処理等が行われる。
前記ホールコード入力画面ＳＷ処理（Ｓ５２０−５）では、図３０に示すように、前記遊技操作ボタン６７が左右上下（前後）の何れの方向へ操作されたか（Ｓ５２０−５−１〜Ｓ５２０−５−４）、あるいは中（押下）の操作が行われたか（Ｓ５２０−５−５）が判断される。前記遊技操作ボタン６７が左右上下（前後）の何れかに操作された場合には、前記遊技操作ボタン６７の操作によるカーソル位置に関する情報のコマンドがセットされる（Ｓ５２０−５−６〜Ｓ５２０−５−９）。一方、前記遊技操作ボタン６７の操作が中（押下）の操作である場合には、ホールコード入力処理（Ｓ５３０）が行われる。
【０１２６】
ホールコード入力処理（Ｓ５３０）では、図４の（４−２）の遊技コード入力画面において、ホールコード入力部ｆ１、文字選択部ｆ２、編集操作部ｆ３の何れの操作部で操作が行われたか判断され、各操作部における操作に対する処理が行われる。前記遊技コード入力画面における各操作部の位置情報として、前記文字選択部ｆ２には「１」、編集操作部ｆ３の「１文字進む」には「２」、「１文字戻る」には「３」、「１文字消す」には「４」、「やめる」には「５」、「決定」には「６」が割り当てられている。
【０１２７】
ホールコード入力処理（Ｓ５３０）では、図３１及び図３２に示すように、入力画面位置情報が「１」（文字選択部ｆ２）、入力画面位置情報が「４」（１文字消す）、入力画面位置情報が「３」（１文字戻る）、入力画面位置情報が「２」（１文字進む）、入力画面位置情報が「５」（やめる）、入力画面位置情報が「６」（決定）の何れか判断され（Ｓ５３０−１〜Ｓ５３０−６）、何れの位置でもない場合には、このホールコード入力処理（Ｓ５３０）が終了する。
【０１２８】
前記入力画面位置情報が「１」の場合、ホールコード入力文字の格納する処理（Ｓ５３０−７）、ホールコード入力位置とホールコード入力文字をこの順にコマンド送信する処理（Ｓ５３０−８）、ホールコード入力用テーブルからカーソルの位置を抽出し代入する処理（Ｓ５３０−９）、再度ホールコード入力位置をコマンド送信する処理（Ｓ５３０−１０）が行われ、その後にこのホールコード入力処理（Ｓ５３０）が終了する。
【０１２９】
前記入力画面位置情報が「４」の場合、８文字目に空白が挿入され（Ｓ５３０−１１）、現在のホールコード入力位置がｉに代入され（Ｓ５３０−１２）、入力文字［ｉ］＝入力文字［ｉ＋１］とされ、ｉが８になるまでｉに１を加算して繰り返す処理が行われ（Ｓ５３０−１３〜Ｓ５３０−１６）、次にｉに０が代入され（Ｓ５３０−１７）、ホールコード入力位置とホールコード入力文字の順にコマンド送信された後にｉに１加算され、ｉが８になるまでホールコード入力位置とホールコード入力文字の順にコマンドを送信する処理が繰り返され（Ｓ５３０−１８〜Ｓ５３０−２１）、その後にこのホールコード入力処理（Ｓ５３０）が終了する。
【０１３０】
前記入力画面位置情報が「３」の場合、ＳＷ入力もどる用のテーブルからホールコード入力位置の値さ抽出されて代入され（Ｓ５３０−２２）、ホールコード入力位置の値からカーソル情報のコマンドがセットされ（Ｓ５３０−２３）、その後にこのホールコード入力処理（Ｓ５３０）が終了する。
【０１３１】
前記入力画面位置情報が「２」の場合、ＳＷ入力すすむ用のテーブルからホールコード入力位置の値が抽出されて代入され（Ｓ５３０−２４）、ホールコード入力位置の値からカーソル情報のコマンドがセットされ（Ｓ５３０−２５）、その後にこのホールコード入力処理（Ｓ５３０）が終了する。
【０１３２】
前記入力画面位置情報が「５」の場合、前記個別設定処理（Ｓ５２０）の初めに戻って再び処理が行われる。
前記入力画面位置情報が「６」の場合、ホールコード読み込み１処理（Ｓ５４０）が行われる。
【０１３３】
ホールコード読み込み１処理（Ｓ５４０）では、図３３に示すように、ホールコード判定フラグがＯＮ（ＯＫ）に設定され（Ｓ５４０−１）、ＳＷコマンドが格納され（Ｓ５４０−２）、ホールコード作成の為のデータ全チェックが行われ（Ｓ５４０−３）、ｉに０が格納され（Ｓ５４０−４）、次にｉが８になるまでの繰り返し処理（Ｓ５４０−５〜Ｓ５４０−８）において、入力された文字（ｉ）が空白か否かの判断、次にｉに１加算する処理、再び前記入力された文字（ｉ）が空白か否かの判断処理が繰り返され、その際に前記入力された文字（ｉ）の判断が空白とされた場合、ホール判定フラグがＯＦＦ（ＮＧ）に設定され（Ｓ５４０−９）、その後にこのホールコード読み込み１処理（Ｓ５４０）が終了する。一方、ｉが８となるまで前記入力された文字（ｉ）が空白と判断されなかった場合、ホールコード読み込み２処理（Ｓ５５０）が行われる。
【０１３４】
ホールコード読み込み２処理（Ｓ５５０）では、図３４に示すように、ホールコード判定フラグがＯＦＦ（ＮＧ）か判断され（Ｓ５５０−１）、ＯＦＦ（ＮＧ）の場合、このホールコード読み込み２処理（Ｓ５５０）が終了する。
一方、ホールコード判定フラグがＯＦＦ（ＮＧ）ではない、すなわちＯＮ（ＯＫ）の場合、ホールコードの複合化が行われる（Ｓ５５０−２）。ホールコードの複合化では、前記遊技操作ボタン６７の操作によって入力された８桁のひらがな文字のホールコードが、５桁数字のホールコードに変換される。次に前記複合化が正常（ＯＫ）か否か判断される（Ｓ５５０−３）。正常の場合、図４の（４−３）に示したホールコード演出設定画面を前記表示装置１０に表示させるためのコマンドが複合化時のホールコードの情報に基づいて設定されて格納される（Ｓ５５０−４）。なお、図４の（４−３）に示したように、前記ホールコード演出設定画面にはホールコードに割り当てられているホール名が表示される。次にホールコード演出設定処理（Ｓ５６０）が行われ、その後にこのホールコード読み込み２処理（Ｓ５５０）が終了する。前記ホールコード演出設定処理（Ｓ５６０）は後述する。一方、前記複合化が異常の場合、「ホールコード間違い」を表示するためのコマンドが格納され（Ｓ５５０−５）、その後に前記個別設定処理（Ｓ５２０）の最初に戻る。
【０１３５】
ホールコード演出設定処理（Ｓ５６０）では、図４の（４−３）に示したホールコード演出設定画面における遊技操作ボタン６７の操作に対する処理が行われる。前記ホールコード演出設定処理（Ｓ５６０）では、図３５に示すように、カーソル選択が「客待ち中表示」、「ロゴカットイン」、「決定」、「戻る」の何れか判断され（Ｓ５６０−１〜Ｓ５６０−４）、何れでもない場合にはこのホールコード演出設定処理（５６０）が終了する。
【０１３６】
前記カーソル選択が「客待ち中表示」の場合、前記遊技操作ボタン６７がＰＵＳＨ（押下）されたか判断される（Ｓ５６０−５）。ＰＵＳＨ（押下）されていない場合には、前記ホールコード演出設定処理（Ｓ５６０）の最初に戻る。一方、ＰＵＳＨ（押下）された場合には、客待ち中表示のチェックが現在ＯＮのときはＯＦＦに切り替えられ、逆にＯＦＦのときはＯＮに切り替えられ（Ｓ５６０−６）、その後に前記ホールコード演出設定処理（Ｓ５６０）の最初に戻る。
【０１３７】
前記カーソル選択が「ロゴカットイン」の場合、前記遊技操作ボタン６７がＰＵＳＨ（押下）されたか判断される（Ｓ５６０−７）。ＰＵＳＨ（押下）されていない場合には、前記ホールコード演出設定処理（Ｓ５６０）の最初に戻る。一方、ＰＵＳＨ（押下）された場合には、ロゴカットインのチェックが現在ＯＮのときはＯＦＦに切り替えられ、逆にＯＦＦのときはＯＮに切り替えられ（Ｓ５６０−８）、次にチェックがＯＮか判断される（Ｓ５６０−９）。チェックがＯＦＦの場合には前記ホールコード演出設定処理（Ｓ５６０）の最初に戻る。一方、チェックがＯＮの場合には、ロゴカットイン設定処理（Ｓ５７０）が行われ、その後に前記ホールコード演出設定処理（Ｓ５６０）の最初に戻る。前記ロゴカットイン設定処理（Ｓ５７０）は後述する。
【０１３８】
前記カーソル選択が「決定」の場合、ホールコード演出確認画面１処理（Ｓ５８０）が行われ、その後に前記ホールコード演出設定処理（Ｓ５６０）が終了する。前記ホールコード演出確認画面１処理（Ｓ５８０）は後述する。
前記カーソル選択が「戻る」の場合、図４の（４−２）に示したホールコード入力画面を表示させるための処理が行われ（Ｓ５６０−１０）、その後に前記ホールコード演出設定処理（Ｓ５６０）が終了する。
【０１３９】
前記ロゴカットイン設定処理（Ｓ５７０）では、図４の（４−３）に示したホールコード演出設定画面における出現割合設定部ｈ２の設定処理が行われる。前記ロゴカットイン設定処理（Ｓ５７０）では、図３６のように、前記遊技操作ボタン６７によりカーソルが左右上下（前後）の何れの方向へ操作されたか（Ｓ５７０−１〜Ｓ５７０−４）が判断される。
【０１４０】
左へ操作された場合には、前記出現割合設定部ｈ２に表示されている出現率が１００％か判断される（Ｓ５７０−５）。１００％の場合には、出現率が０％にされ（Ｓ５７０−６）、その後に前記ロゴカットイン設定処理（Ｓ５７０）の最初に戻る。一方、前記出現割合設定部ｈ２に表示されている出現率が１００％ではないと判断されると、現在表示されている出現率に５％加算され（Ｓ５７０−７）、その後に前記ロゴカットイン設定処理（Ｓ５７０）の最初に戻る。
【０１４１】
右へ操作された場合には、前記出現割合設定部ｈ２に表示されている出現率が０％か判断される（Ｓ５７０−８）。０％の場合には、出現率が１００％にされ（Ｓ５７０−９）、その後に前記ロゴカットイン設定処理（Ｓ５７０）の最初に戻る。一方、前記出現割合設定部ｈ２に表示されている出現率が０％ではないと判断されると、現在表示されている出現率から５％減算され（Ｓ５７０−１０）、その後に前記ロゴカットイン設定処理（Ｓ５７０）の最初に戻る。
【０１４２】
上（前）又は下（後）へ操作された場合には、前記ホールコード演出設定処理（Ｓ５６０）が行われる。
【０１４３】
前記ホールコード演出確認画面１設定処理（Ｓ５８０）では、図４の（４−４）〜（４−５）のように表示される決定内容の確認画面に対する処理が行われる。前記ホールコード演出確認画面１設定処理（Ｓ５８０）では、図３７のように、まず図４の（４−４）の確認画面において、前記遊技操作ボタン６７の操作によるカーソル位置が「決定」にあるか「もどる」にあるか判断され（Ｓ５８０−１、Ｓ５８０−２）、何れでもない場合には前記ホールコード演出確認画面１設定処理（Ｓ５８０）の最初に戻る。
【０１４４】
カーソルが「決定」にある場合、前記遊技操作ボタン６７がＰＵＳＨ（押下）されたか判断される（Ｓ５８０−３）。ＰＵＳＨ（押下）されていない場合にはＰＵＳＨ（押下）されたかの判断（Ｓ５８０−３）が繰り返される。一方、ＰＵＳＨ（押下）された場合、ホールコード演出確認画面２処理（Ｓ５９０）が行われる。前記ホールコード演出確認画面２処理（Ｓ５９０）は後述する。
カーソルが「もどる」にある場合、前記遊技操作ボタン６７がＰＵＳＨ（押下）されたか判断される（Ｓ５８０−４）。ＰＵＳＨ（押下）されていない場合にはＰＵＳＨ（押下）されたかの判断（Ｓ５８０−４）が繰り返される。一方、ＰＵＳＨ（押下）された場合、前記ホールコード演出設定処理（Ｓ５６０）が行われる。
【０１４５】
前記ホールコード演出確認画面２設定処理（Ｓ５９０）では、図４の（４−５）の確認画面に対する処理が行われる。前記ホールコード演出確認画面２設定処理Ｓ５９０）では、図３８のように、前記遊技操作ボタン６７によりカーソルが「決定」にあるか「もどる」の何れにあるか判断され（Ｓ５９０−１、Ｓ５９０−２）、何れでもない場合には前記ホールコード演出確認画面２設定処理（Ｓ５９０）の最初に戻る。
【０１４６】
カーソルが「決定」にある場合、前記遊技操作ボタン６７がＰＵＳＨ（押下）されたか判断される（Ｓ５９０−３）。ＰＵＳＨ（押下）されていない場合にはＰＵＳＨ（押下）されたかの判断（Ｓ５９０−３）が繰り返される。一方、ＰＵＳＨ（押下）された場合、前記個別設定処理（Ｓ５２０）が行われる。
カーソルが「もどる」にある場合、前記遊技操作ボタン６７がＰＵＳＨ（押下）されたか判断される（Ｓ５９０−４）。ＰＵＳＨ（押下）されていない場合にはＰＵＳＨ（押下）されたかの判断（Ｓ５９０−４）が繰り返される。一方、ＰＵＳＨ（押下）された場合、前記ホールコード演出設定処理（Ｓ５６０）が行われる。
【０１４７】
前記メインコマンド解析処理（Ｓ５０３）において、受信コマンドが変動コマンドと判断された場合、割り込み用画面（カットイン）抽選処理（Ｓ５２５）が行われ、その後にこのメインコマンド解析処理（Ｓ５０３）が終了する。前記割り込み用画面（カットイン）抽選処理（Ｓ５２５）は割り込み画面変更手段に相当する。前記割り込み用画面抽選処理（Ｓ５２５）では、図３９に示すように、割り込み画面（カットイン）が出現可能な変動ではない場合、この割り込み用画面抽選処理（Ｓ５２５）が終了する。一方、割り込み画面（カットイン）が出現可能な変動の場合、前記個別設定メニュー画面で設定した出現割合に応じて乱数等を使用した演算に基づいて予め設定されている基本割り込み画面か、或いは前記個別設定メニュー画面で設定したホール名ロゴ等による個別割り込み画面にするかが抽選される（Ｓ５２５−２）。次に割り込み画面（カットイン）有りに当選したか確認され（Ｓ５２５−３）、外れの場合には、この割り込み用画面（カットイン）抽選処理（Ｓ５２５）が終了する。一方、当選した場合には抽選によって選ばれた基本割り込み画面か個別割り込み画面の割り込み画面（カットイン）コマンドが設定され（Ｓ５２５−４）、この割り込み用画面（カットイン）抽選処理（Ｓ５２５）が終了する。
【０１４８】
また、メインコマンド解析処理（Ｓ５０３）において、受信コマンドがその他のコマンドと判断された場合、受信したコマンドに応じた処理が行われ（Ｓ５０３−７）、その後にこのメインコマンド解析処理（Ｓ５０３）が終了する。
【０１４９】
図２７に示したように前記メインコマンド解析処理（Ｓ５０３）の次にＳＷ処理（Ｓ５０４）が行われる。ＳＷ処理（Ｓ５０４）では、遊技操作ボタン６７の有効時間（操作有効期間）及び動作の管理が行われる。前記ＳＷ処理（Ｓ５０４）の次にランプ処理（Ｓ５０５）が行われる。
ランプ処理（Ｓ５０５）では、出力するランプデータの作成及び演出時間の管理が行われる。ランプ処理（Ｓ５０５）の次にＲＴＣ時刻処理（Ｓ５０６）が行われる。
【０１５０】
ＲＴＣ時刻処理（Ｓ５０６）は、電源断期間判定手段及び電源投入開始時削除手段に相当し、図４０に示すように、ＲＴＣ電源投入フラグがＯＮか判断され（Ｓ５０６−１）、ＲＴＣ電源投入フラグがＯＦＦの場合には、このＲＴＣ時刻処理（Ｓ５０６）が終了する。一方、ＲＴＣ電源投入フラグがＯＮの場合には、前記ＦＲＡＭ（登録商標、強誘電体メモリ）から取得した時計データ（電源断時の時刻データ）と前記ＲＴＣのデータ（現在の時刻データ）を比較し、電源断（ＦＲＡＭ（登録商標、強誘電体メモリ）から取得した時計データ）から１週間以上経過しているか判断される（Ｓ５０６−２）。１週間以上経過していない場合はＲＴＣ電源投入フラグがＯＦＦに設定され（Ｓ５０６−５）、その後にこのＲＴＣ時刻処理（Ｓ５０６）が終了する。１週間以上経過している場合は、前記ＦＲＡＭ（登録商標、強誘電体メモリ）とＲＡＭに格納されているホールコードの初期化が行われ（Ｓ５０６−３）、それと共に前記ＦＲＡＭ（登録商標、強誘電体メモリ）とＲＡＭに格納されている演出設定情報の初期化が行われ（Ｓ５０６−４）、次にＲＴＣ電源投入フラグがＯＦＦに設定された（Ｓ５０６−５）後、このＲＴＣ時刻処理（Ｓ５０６）が終了する（この処理が自動削除手段に相当する）。尚、本実施例における自動削除手段は、サブ制御基板２０５が主制御基板（遊技制御装置）２００よりも先に動作可能状態になるように構成（主制御基板（遊技制御装置）２００からのコマンドを受信できるように構成）されているため、電源投入コマンドを受信する前に実行可能に構成されている。その為、電源断（ＦＲＡＭ（登録商標、強誘電体メモリ）から取得した時計データ）から１週間以上経過している場合は、一旦前記ＦＲＡＭ（登録商標、強誘電体メモリ）とＲＡＭに格納されている演出設定情報の初期化された状態で、個別設定処理が実行可能になるように構成されている。
【０１５１】
前記ＲＴＣ時刻処理（Ｓ５０６）の次に電源断信号がＯＮか判断される（Ｓ５０７）。電源断信号がＯＦＦの場合、ウオッチドッグタイマ２の初期化（Ｓ５１０）が行われ、この１０ｍｓタイマ割り込み処理（Ｓ５００）が終了する。一方、電源断信号がＯＮの場合、バックアップ完了フラグがＯＮか判断される（Ｓ５０８）。バックアップ完了フラグＯＮの場合、前記ウオッチドッグタイマ２の初期化（Ｓ５１０）が行われ、この１０ｍｓタイマ割り込み処理（Ｓ５００）が終了する。一方、バックアップ完了フラグＯＦＦの場合、バックアップ処理（５０９）が行われる。
【０１５２】
前記バックアップ処理（Ｓ５０９）は電源断発生時刻記憶手段に相当し、図４１に示すように、前記ＲＴＣから取得した現在の時刻データがＦＲＡＭ（登録商標、強誘電体メモリ）に記憶されてバックアップされ（Ｓ５０９−１）、次にバックアップ完了フラグがＯＮに設定され（Ｓ５０９−２）、その後にこのバックアップ処理（Ｓ５０９）が終了する。
【０１５３】
前記バックアップ処理（Ｓ５０９）の次に前記ウオッチドッグタイマ２の初期化（Ｓ５１０）が行われ、この１０ｍｓタイマ割り込み処理（Ｓ５００）が終了する。
【０１５４】
このように、本実施例によれば、遊技機毎に設定したホールコード（データ）を任意に削除することが可能であると共に、設定・記憶したホールコード（データ）を、遊技機の電源が所定期間投入されていない場合に遊技機の電源投入によって自動的に削除することが可能である。
また、本実施例によれば、任意の操作によって遊技機毎に設定したホール名ロゴの画像を有する個別割り込み画面（カットイン）を、予め設定されている基本割り込み画面に代えて割り込み画面として出現させることができ、かつその出現割合を設定することができ、遊技機毎あるいは遊技店毎の差別化が可能である。
【０１５５】
なお、本実施例では、個別割り込み画面はホール名ロゴを有するものとしたがホール名でもよい。さらに、本実施例では任意の操作によって入力するデータとしてひらがなのホールコードを入力しているが、入力するホールコードは数字や記号を一部に有したり、数字や記号のみで構成されるものであってもよく、あるいはホール名を直接入力したり、複数のホールコードやホール名等を予め遊技機に記憶しておき、個別設定画面で選択して遊技機毎に設定するようにしてもよい。
また、抽選によって割り込み演出を行う場合を決定しているが、特定の演出パターン（変動パターン）については、常に割り込み演出を行うものとしてもよい。また、割り込み演出を行う場合はリーチを行う場合だけでなく、単なる外れ変動でも行ってもよい。
また、本実施例では割り込み演出を行う際に基本割り込み画面に代えて個別割り込み画面が出現するように構成されているが、その際に割り込み画面だけ代えるように制御してもよいし、一連の割り込み演出を別々に有して代えてよいとする。
また基本割り込み画面や個別割り込み画面が複数有しても良いとする。
さらに、本発明は本実施例に限定されることなく、発明の趣旨を逸脱しない範囲で変更可能である。
【符号の説明】
【０１５６】
１  遊技機
２  遊技盤
１０  表示装置
４１  上側始動入賞口
４２  下側始動入賞口
６４  発射装置
【図１】
0005990850.tif 000002
【図２】
0005990850.tif 000003
【図３】
0005990850.tif 000004
【図４】
0005990850.tif 000005
【図５】
0005990850.tif 000006
【図６】
0005990850.tif 000007
【図７】
0005990850.tif 000008
【図８】
0005990850.tif 000009
【図９】
0005990850.tif 000010
【図１０】
0005990850.tif 000011
【図１１】
0005990850.tif 000012
【図１２】
0005990850.tif 000013
【図１３】
0005990850.tif 000014
【図１４】
0005990850.tif 000015
【図１５】
0005990850.tif 000016
【図１６】
0005990850.tif 000017
【図１７】
0005990850.tif 000018
【図１８】
0005990850.tif 000019
【図１９】
0005990850.tif 000020
【図２０】
0005990850.tif 000021
【図２１】
0005990850.tif 000022
【図２２】
0005990850.tif 000023
【図２３】
0005990850.tif 000024
【図２４】
0005990850.tif 000025
【図２５】
0005990850.tif 000026
【図２６】
0005990850.tif 000027
【図２７】
0005990850.tif 000028
【図２８】
0005990850.tif 000029
【図２９】
0005990850.tif 000030
【図３０】
0005990850.tif 000031
【図３１】
0005990850.tif 000032
【図３２】
0005990850.tif 000033
【図３３】
0005990850.tif 000034
【図３４】
0005990850.tif 000035
【図３５】
0005990850.tif 000036
【図３６】
0005990850.tif 000037
【図３７】
0005990850.tif 000038
【図３８】
0005990850.tif 000039
【図３９】
0005990850.tif 000040
【図４０】
0005990850.tif 000041
【図４１】
0005990850.tif 000042